(57)【特許請求の範囲】
【請求項１】
ユーザ端末機であって、
チャンネル状態情報（ＣＳＩ）基準信号（ＣＳＩ−ＲＳ）リソース及びＣＳＩ干渉測定リソースに関連する第１のＣＳＩ構成とＣＳＩ−ＲＳリソース及びＣＳＩ干渉測定リソースに関連する第２のＣＳＩ構成に対する情報を獲得し、
前記第１のＣＳＩ構成に対するランクインジケータ（rank indicator：ＲＩ）を含む前記ＣＳＩを、前記ユーザ端末機が信号を受信している少なくとも一つの送信ポイントに報告する制御システムを含み、
前記ユーザ端末機がＲＩ報告のために前記第２のＣＳＩ構成を有するように構成される場合、前記第１のＣＳＩ構成に対するＲＩは、前記第２のＣＳＩ構成に対して指定されたＲＩと同一である
ことを特徴とするユーザ端末機。
【請求項２】
ＲＩ報告のための前記第２のＣＳＩ構成は、前記第１のＣＳＩ構成に関連して調整されるように構成される
ことを特徴とする請求項１に記載のユーザ端末機。
【請求項３】
前記第１のＣＳＩ構成及び前記第２のＣＳＩ構成は、周期的ＣＳＩ報告及び非周期的ＣＳＩ報告に関連する
ことを特徴とする請求項１に記載のユーザ端末機。
【請求項４】
前記第１のＣＳＩ構成は第１の識別子を有し、前記第２のＣＳＩ構成は第２の識別子を有する
ことを特徴とする請求項１に記載のユーザ端末機。
【請求項５】
前記制御システムは、前記第１のＣＳＩ構成に対するチャンネル品質情報（ＣＱＩ）をさらに報告するように構成される
ことを特徴とする請求項１に記載のユーザ端末機。
【請求項６】
ユーザ端末機におけるチャンネル状態情報（ＣＳＩ）を報告する方法であって、
チャンネル状態情報（ＣＳＩ）基準信号（ＣＳＩ−ＲＳ）リソース及びＣＳＩ干渉測定リソースに関連する第１のＣＳＩ構成とＣＳＩ−ＲＳリソース及びＣＳＩ干渉測定リソースに関連する第２のＣＳＩ構成に対する情報を獲得するステップと、
前記第１のＣＳＩ構成に対するランクインジケータ（rank indicator：ＲＩ）を含む前記ＣＳＩを、前記ユーザ端末機が信号を受信している少なくとも一つの送信ポイント（transmission point）に報告するステップと、を含み、
前記ユーザ端末機がＲＩ報告のために前記第２のＣＳＩ構成を有するように構成される場合、  前記第１のＣＳＩ構成に対するＲＩは、前記第２のＣＳＩ構成に対して指定されたＲＩと同一である
ことを特徴とする方法。
【請求項７】
ＲＩ報告のための前記第２のＣＳＩ構成は、前記第１のＣＳＩ構成に関連して調整されるように構成される
ことを特徴とする請求項６に記載の方法。
【請求項８】
前記第１のＣＳＩ構成及び前記第２のＣＳＩ構成は、周期的ＣＳＩ報告及び非周期的ＣＳＩ報告に関連する
ことを特徴とする請求項６に記載の方法。
【請求項９】
前記第１のＣＳＩ構成は第１の識別子を有し、前記第２のＣＳＩ構成は第２の識別子を有する
ことを特徴とする請求項６に記載の方法。
【請求項１０】
前記第１のＣＳＩ構成に対するチャンネル品質情報（ＣＱＩ）を報告するステップをさらに含む
ことを特徴とする請求項６に記載の方法。
【請求項１１】
基地局であって、
チャンネル状態情報（ＣＳＩ）基準信号（ＣＳＩ−ＲＳ）リソース及びＣＳＩ干渉測定リソースに関連する第１のＣＳＩ構成とＣＳＩ−ＲＳリソース及びＣＳＩ干渉測定リソースに関連する第２のＣＳＩ構成を設定し、前記第１のＣＳＩ構成及び前記第２のＣＳＩ構成に対する情報をユーザ端末機に伝送し、前記ユーザ端末機から、前記第１のＣＳＩ構成に対するランクインジケータ（ＲＩ）を含む前記ＣＳＩを受信する制御システムを含み、
前記ユーザ端末機がＲＩ報告のために前記第２のＣＳＩ構成を有するように構成される場合、
前記第１のＣＳＩ構成に対するＲＩは、前記第２のＣＳＩ構成に対して指定されたＲＩと同一である
ことを特徴とする基地局。
【請求項１２】
ＲＩ報告のための前記第２のＣＳＩ構成は、前記第１のＣＳＩ構成に関連して調整されるように構成される
ことを特徴とする請求項１１に記載の基地局。
【請求項１３】
前記第１のＣＳＩ構成及び前記第２のＣＳＩ構成は、周期的ＣＳＩ報告及び非周期的ＣＳＩ報告に関連する
ことを特徴とする請求項１１に記載の基地局。
【請求項１４】
前記第１のＣＳＩ構成は第１の識別子を有し、前記第２のＣＳＩ構成は第２の識別子を有する
ことを特徴とする請求項１１に記載の基地局。
【請求項１５】
前記制御システムは、前記第１のＣＳＩ構成に対するチャンネル品質情報（ＣＱＩ）をさらに受信するように構成される
ことを特徴とする請求項１１に記載の基地局。
【請求項１６】
基地局におけるチャンネル状態情報（ＣＳＩ）を受信する方法であって、
チャンネル状態情報（ＣＳＩ）基準信号（ＣＳＩ−ＲＳ）リソース及びＣＳＩ干渉測定リソースに関連する第１のＣＳＩ構成とＣＳＩ−ＲＳリソース及びＣＳＩ干渉測定リソースに関連する第２のＣＳＩ構成を設定するステップと、
前記第１のＣＳＩ構成及び前記第２のＣＳＩ構成に対する情報をユーザ端末機に伝送するステップと、
前記ユーザ端末機から前記第１のＣＳＩ構成に対するランクインジケータ（ＲＩ）を含む前記ＣＳＩを受信するステップと、を含み、
前記ユーザ端末機がＲＩ報告のために前記第２のＣＳＩ構成を有するように構成される場合、前記第１のＣＳＩ構成に対するＲＩは、前記第２のＣＳＩ構成に対して指定されたＲＩと同一である
ことを特徴とする方法。
【請求項１７】
ＲＩ報告のための前記第２のＣＳＩ構成は、前記第１のＣＳＩ構成に関連して調整されるように構成される
ことを特徴とする請求項１６に記載の方法。
【請求項１８】
前記第１のＣＳＩ構成及び前記第２のＣＳＩ構成は、周期的ＣＳＩ報告及び非周期的ＣＳＩ報告に関連する
ことを特徴とする請求項１６に記載の方法。
【請求項１９】
前記第１のＣＳＩ構成は第１の識別子を有し、前記第２のＣＳＩ構成は第２の識別子を有する
ことを特徴とする請求項１６に記載の方法。
【請求項２０】
前記第１のＣＳＩ構成に対するチャンネル品質情報（ＣＱＩ）を受信するステップをさらに含む
ことを特徴とする請求項１６に記載の方法。
【発明の詳細な説明】
【技術分野】
【０００１】
本発明は、協調マルチポイント送信に関し、特に協調マルチポイント送信をスケジューリングする時に使用されるパラメータフィードバック（parameter feedback）通信に関する。
【背景技術】
【０００２】
複数個の送信及び受信ポイント（例えば、セル）を通じた協調通信を可能にする協調マルチポイント（Coordinated Multi-Point：ＣｏＭＰ）送信及び受信技術は、現在研究が進行及び定義されている。ＣｏＭＰ動作で、複数個のポイントは、干渉回避及びジョイント送信技術を使用してユーザに信号品質を改善させる方式で相互に協調する。
【０００３】
異なるＣｏＭＰ送信方式に対して、上記ネットワークは、スケジューリングを最適化させるために該当ＵＥによりポートされる上記チャンネル品質情報（channel quality information：ＣＱＩ）と、プリコーディングマトリックスインジケータ（pre-coding matrix indicator：ＰＭＩ）及びランク情報（rank information：ＲＩ）とを知る必要がある。また、各ＣｏＭＰ方式性能は、干渉測定値のような他のパラメータにより特徴付けられる。
【発明の概要】
【発明が解決しようとする課題】
【０００４】
したがって、該当技術分野では、ＣｏＭＰ送信をスケジューリングでの使用のための信号通信パラメータを効率的にフィードバックする必要性が台頭されている。
【課題を解決するための手段】
【０００５】
協調マルチポイント（Coordinate multi-point：ＣｏＭＰ）送信は、フィードバック報告間の衝突を解決することによって可能となる。上記ネットワーク内の条件に基づいて、衝突解決は、サブフレームの間にチャンネル報告をドロップし、複数のユーザ端末機からのチャンネル報告を多重化し、複数のユーザ端末機からのチャンネル報告を圧縮し、ジョイント（joint）報告を通じて又はキャリアアグリゲーション（carrier aggregation）を使用してユーザ端末機と複数の送信ポイント（transmission point）の間の条件に対して結合報告することによって実行されることができる。新たなシグナリング及び報告フォーマットは、現在のネットワーク条件に適合した衝突解決選択を可能とする。
【０００６】
本発明を詳細に説明するのに先立って、本明細書の全般にわたって使用される特定の単語及び語句の定義を開示することが望ましい。“含む（include）”及び “備える（comprise）”という語句だけではなく、その派生語（derivatives  thereof）は、限定ではなく、含みを意味する。“又は（or）”という用語は、“及び／又は（and/or）”の意味を包括する。“関連した（associated  with）”及び“それと関連した（associated  therewith）”という語句だけではなく、その派生語句は、“含む（include）”、“含まれる（be  included  within）”、“相互に連結する（interconnect  with）”、“包含する（contain）”、“包含される（be  contained  within）”、“連結する（connect  to  or  with）”、“結合する（couple  to  or  with）”、“疎通する（be  communicable  with）”、“協調する（cooperate  with）”、“相互配置する（interleave）”、“並置する（juxtapose）”、“近接する（be  proximate  to）”、“接する（be  bound  to  or  with）”、“有する（have）”、及び“特性を有する（have  a  property  of）”などを意味することができる。制御器は、少なくとも１つの動作を制御する装置、システム又はその部分を意味するもので、ハードウェア、ファームウェア、ソフトウェア、又は、それらのうちの２つ以上の組合せで実現することができる。特定の制御器に関連する機能は、集中しているか、あるいは近距離、または遠距離に分散されることもあることに留意すべきである。特定の単語及び語句に関するこのような定義は、本明細書の全般にわたって規定されるもので、当業者には、大部分の場合ではなくても、多くの場合において、このような定義がそのように定義された単語及び語句の先行使用にはもちろん、将来の使用にも適用されるものであることが自明である。
【０００７】
本発明の実施形態の上述した及び他の様相、特徴、及び利点は、添付の図面が併用された後述の詳細な説明から、より一層明らかになるだろう。
【図面の簡単な説明】
【０００８】
【図１Ａ】本開示の一つ又はそれ以上の実施形態による協調マルチポイント送信に対するＣＳＩフィードバックが実現され得るネットワークを示している上位レベルダイアグラムを示す図である。
【図１Ｂ】本開示の一つ又はそれ以上の実施形態による協調マルチポイント送信に対するＣＳＩフィードバックが実現され得るネットワークを示している上位レベルダイアグラムを示す図である。
【図１Ｃ】本開示の一つ又はそれ以上の実施形態による協調マルチポイント送信に対するＣＳＩフィードバックが実現され得るネットワークを示している上位レベルダイアグラムを示す図である。
【図２Ａ】本開示の一つ又はそれ以上の実施形態によって実現される協調マルチポイント送信のためのＣＳＩフィードバックのために使用され得るチャンネル状態情報基準信号構成に対するマッピングを示す図である。
【図２Ｂ】本開示の一つ又はそれ以上の実施形態によって実現される協調マルチポイント送信のためのＣＳＩフィードバックのために使用され得るチャンネル状態情報基準信号構成に対するマッピングを示す図である。
【図３】本開示の一つ又はそれ以上の実施形態によって実現される協調マルチポイント送信のための複数個のＣＳＩ−ＲＳリソースに対応するＣＳＩフィードバック報告のマルチプレキシングを示す図である。
【図４】本開示の一つ又はそれ以上の実施形態によって実現される協調マルチポイント送信のための、広域／サブバンドＣＱＩ及び／または広域／サブバンドＰＭＩのような特定報告タイプとアグリゲートＣＱＩ及び／またはＴＰ間位相報告に対して共に構成された複数個のＣＳＩ−ＲＳリソースに対する報告を示す図である。
【図５Ａ】ＣＳＩ−ＲＳリソースインジケータ（ＣＲＩ）を示す図である。
【図５Ｂ】ジョイント符号化されたＲＩ及びＣＲＩを示す図である。
【図６】本開示の一つ又はそれ以上の実施形態によって実現される協調マルチポイント送信のための、２個のセル間のＣｏＭＰのためのＤＰＳ／ＤＢあるいはＪＴ送信を許可できる４個の異なるＣｏＭＰ送信仮設を示す図である。
【図７】本開示の一つ又はそれ以上の実施形態によって実現される協調マルチポイント送信のためのチャンネル情報フィードバックのための上記ＩＭＲリソース及び上記ＣＳＩサブフレームサブ集合の交差点に基づいて上記基準サブフレームが生成されるＩＭＲリソース構成を示す図である。
【図８Ａ】本開示の一つ又はそれ以上の実施形態によって実現される協調マルチポイント送信のためのＴＰＩを基にするフィードバック報告を示す図である。
【図８Ｂ】本開示の一つ又はそれ以上の実施形態によって実現される協調マルチポイント送信のためのＴＰＩを基にするフィードバック報告を示す図である。
【発明を実施するための形態】
【０００９】
図面中の同一の図面参照符号が同一の構成要素、特性、又は構造を意味することは、容易に理解できるであろう。
【００１０】
下記で説明される図１Ａ乃至図８Ｂ及び本特許文書で本開示の基本原則を説明するために使用される多様な実施形態は、説明のためのものであり、本開示の範囲を制限することを意図するものではない。該当技術分野の当業者は、本開示の基本原則が適切に配列された無線通信システムで実現され得るということを理解できる。
【００１１】
次の文書及び標準の説明が、本明細書に記載されているように、ここに組み込まれる。
【００１２】
REF1  3GPP TS 36.211 v10.1.0, "E-UTRA, Physical channels and modulation"; 
REF2  3GPP TS 36.212 v10.1.0, "E-UTRA, Multiplexing and Channel coding";
REF3  3GPP TS 36.213 v10.1.0, "E-UTRA, Physical Layer Procedures";
REF4  RP-111365 Coordinated Multi-Point Operation for LTE WID; 及び
REF5  3GPP TR 36.819 V11.0.0 (2011-09).
【００１３】
図１Ａ、図１Ｂ及び図１Ｃは、本開示の一つ又はそれ以上の実施形態による協調マルチポイント送信に対するＣＳＩフィードバックが実現され得るネットワークを示している上位レベルダイアグラムである。図１Ａは、セル内のＣｏＭＰ（intra-site CoMP）を使用する同種無線通信ネットワーク１００を示す図である。図１Ａで、説明の便宜のために簡略に六角形で示されているが、実際には、多様な模様を有する、各セルあるいはカバレッジ（coverage）領域１０２は、また３世代パートナーシッププロジェクト（3rd Generation Partnership Project:３ＧＰＰ）により頒布されたロングタームエボリューション（Long Term Evolution：ＬＴＥ）系列のスタンダードの目的のために進化したノードＢ（evolved NodeB：ｅＮＢ）と称される基地局１０４を含む。各ｅＮＢ１０４は、少なくとも一つのアンテナを使用して無線信号の送信及び受信のためにメモリに通信可能に連結されるか、あるいは送信機及び受信機チェーン（chain）を通じて送受信機に連結される、プログラム可能プロセッサのような制御システムを含む。各ｅＮＢ１０４の制御システムは、該当するカバレッジ領域１０２内の移動端末機からのフィードバックのような特定タイプの通信をスケジューリングすることができる。ｅＮＢ１０４は、上記通信のマルチポイント送信を考慮するように公知技術によって相互に通信している。
【００１４】
ｅＮＢ１０４から無線信号を受信し、ｅＮＢ１０４を通じて無線信号によりデータを送信する、カバレッジ領域１０２に位置している（あるいはカバレッジ領域１０２を通じて移動している）複数の移動端末機（あるいは“ユーザ端末機”）は、ｅＮＢ１０４によりサービスの提供を受け、場合によって、一つ以上のｅＮＢ１０４によりサービスの提供を受けることができる。各ユーザ端末機は、少なくとも一つのアンテナを使用して無線信号の送信及び受信のためにメモリに通信可能に連結されるか、あるいは送信機及び受信機チェーンを通じて送受信機に連結される、プログラム可能プロセッサのような制御システムを含む。該当技術分野で広く知られているように、ｅＮＢ１０４及び上記移動端末機は、通信チャンネルを含む定義されている周波数及び時間周期を通じて送信される直交周波数分割多重化（Orthogonal Frequency Division Multiplexing：ＯＦＤＭ）シンボルを使用して通信する。上記通信チャンネルの周波数は、帯域及びサブバンドに分割され、１個の時間周期の間の各キャリア周波数（あるいはキャリア周波数の集合）は、“リソースエレメント（resource element:ＲＥ）と称される。上記移動端末機の制御システムは、上記異なる帯域あるいはサブバンドでｅＮＢ１０４からの無線信号の品質を測定し、“広域（サブバンドのグループ）”あるいはサブバンドに基づいてｅＮＢ１０４へのフィードバックのための多様な、よく知られたチャンネル情報を生成するために構成される。
【００１５】
図１Ｂは、１個のｅＮＢ１０４と、各々がカバレッジ領域１１２を有する複数の、高送信電力遠隔無線ヘッド（remote radio head：ＲＲＨ）１１４とを有する同種無線通信ネットワーク１１０を示す図である。ＲＲＨ１１４の各々は、ｅＮＢ１０４と類似の構造を有し、制御システムと、メモリ及び送受信サブシステムを含む。ＲＲＨ１１４は、光ファイバー１１６によりｅＮＢ１０４に連結される。
【００１６】
図１Ｃは、カバレッジ領域１２０を有する１個のｅＮＢ１０４と、各々が前方向性アンテナとカバレッジ領域１２２を有する複数の、低送信電力遠隔無線ヘッド（remote radio head：ＲＲＨ）１２４とを有する無線通信ネットワーク１２０を示す図である。ＲＲＨ１１４のように、ＲＲＨ１２４の各々は、ｅＮＢ１０４と類似の構造を有し、制御システム、メモリ及び送受信サブシステムを含む。ＲＲＨ１２４は、光ファイバー１１６によりｅＮＢ１０４に連結される。
【００１７】
図１Ａ乃至図１Ｃに示したような３個の無線通信ネットワークの代表として図１Ａを使用する場合、１個のカバレッジ領域１０２ａに位置している移動端末機は、上記カバレッジ領域内でｅＮＢ１０４ａから無線信号を受信することができ、隣接する（あるいは部分的にオーバーラップされる）カバレッジ領域１０２ｂ内に位置している他のｅＮＢ１０４ｂから無線信号を受信することができる。再送信されるデータを要求することによって無線通信の効率性を減少させる上記２個のｅＮＢ１０４ａ、１０４ｂからの無線信号は、場合によって相互に干渉を起こすことがある。ｅＮＢ１０４による協調マルチポイント送信は、他のもののうち、上記干渉の発生情報を減少させることによって通信効率性を向上させる。図１Ａでカバレッジ領域１０４ａがここで論議される内容のうち関心の対象となる“協調領域（coordination area）”である。
【００１８】
〔協調マルチポイント通信（Coordinated Multi-point Transmission：ＣｏＭＰ）〕
複数の送信及び受信ポイント（一例で、セル）にかけた協調通信を可能にする協調マルチポイント（ＣｏＭＰ）送信及び受信技術は、現在ロングタームエボリューション（ＬＴＥ）−アドバーンスト(Advanced）システムに対して研究が進行されている。ＣｏＭＰ動作で、複数のポイントは、干渉回避及びジョイント送信（joint transmission）技術を使用してユーザに対する信号品質を改善させる方式で相互に協調する。
【００１９】
上記ユーザ端末機（user equipment：ＵＥ）が複数の送信ポイント（transmission point：ＴＰ）から信号を受信することを可能にするＣｏＭＰ技術［ＲＥＦ４］を標準化する努力において、考慮される配置シナリオは、下記のように与えられる［ＲＥＦ５］：  
・シナリオ１：図１Ａに示したような、サイト内のＣｏＭＰを使用する同種ネットワーク；
・シナリオ２：図１Ｂに示したような、高送信遠隔無線ヘッド（remote radio head：ＲＲＨ）を使用する同種ネットワーク；
・シナリオ３：図１Ｃに示したような、ＲＲＨにより生成される上記送信／受信ポイントがマクロセルとして異なるセルＩＤを有する上記マクロセルカバレッジ内の低電力ＲＲＨを使用する異種ネットワーク；及び
・シナリオ４：図１Ｃに示したような、ＲＲＨにより生成される上記送信／受信ポイントがマクロセルとして同一のセルＩＤを有する上記マクロセルカバレッジ内の低電力ＲＲＨを使用する異種ネットワーク
【００２０】
標準化のフォーカスとして識別されている上記ＣｏＭＰ方式は：
・ジョイント送信；
・動的ポイントブランキング（dynamic point blanking）を含む動的ポイント選択（dynamic point selection：ＤＰＳ）；及び
・動的ポイントブランキングを含む協調スケジューリング／ビームフォーミング（coordinated scheduling/beamforming）である。 
【００２１】
異なるＣｏＭＰ送信方式の各仮設（hypothesis）に対して、上記ネットワークは、スケジューリングを最適化するために上記ＵＥによりサポートされる上記チャンネル品質情報（channel quality information：ＣＱＩ）と、プリコーディングマトリックスインジケータ（pre-coding matrix indicator：ＰＭＩ）及びランク情報（rank information：ＲＩ）を知る必要がある。現在の標準で上記フィードバック定義及び測定は、単一セル送信に対して定義されている。また、個別ＣｏＭＰ方式性能は、上記ＣｏＭＰ方式で使用される上記送信ポイント（transmission point：ＴＰ）、上記一つ又はそれ以上の送信ＴＰの各々に適用されるプリコーディング；及び各ＣＱＩの測定のために構成され得る上記干渉測定リソースのような、他のパラメータにより特徴付けられる。
【００２２】
上記ＣｏＭＰフィードバック定義に関連する現在の規格上での一部定義は、下記のように論議されている。
【００２３】
〔ＣＳＩ−ＲＳリソース〕
ＬＴＥリリース１０で、新たなタイプの基準信号、すなわちＵＥに対するチャンネル測定を可能にするチャンネル状態情報−基準信号（channel state information-reference signal：ＣＳＩ−ＲＳ）が定義されており、これに対して復調基準シンボル（demodulation reference symbols：ＤＭＲＳ）は、リリース１０で導入された送信モード（transmission mode）９を復調するために使用される。
【００２４】
ＵＥ特定ＣＳＩ−ＲＳ構成は、ノンゼロ（non-zoro）電力ＣＳＩ−ＲＳリソース及び一つ又はそれ以上のゼロ電力ＣＳＩ−ＲＳリソースを含む。一般的に、上記ノンゼロＣＳＩ−ＲＳリソースは、上記サービングセルのアンテナエレメント／ポートに対応する。また、ゼロＣＳＩ−ＲＳリソースは、一般的に“ｍｕｔｅｄ ＣＳＩ−ＲＳ”と称され、他のセルのＣＳＩ−ＲＳリソースを報告するために使用され、ＵＥには、このようなリソースの周囲のレートマッチング（復号化／復調に対するスキップ）が期待される。
【００２５】
【数１】
0006324954.tif 000002
【００２６】
【数２】
0006324954.tif 000003
【００２７】
【数３】
0006324954.tif 000004
【００２８】
【数４】
0006324954.tif 000005
【００２９】
で初期化される上記疑似ランダムシーケンス生成器を使用して定義されており、
【００３０】
【数５】
0006324954.tif 000006
である。
【００３１】
【数６】
0006324954.tif 000007
【００３２】
【数７】
0006324954.tif 000008
【００３３】
【数８】
0006324954.tif 000009
【００３４】
【数９】
0006324954.tif 000010
【００３５】
【数１０】
0006324954.tif 000011
【００３６】
【数１１】
0006324954.tif 000012
【００３７】
【数１２】
0006324954.tif 000013
【００３８】
【数１３】
0006324954.tif 000014
【００３９】
【数１】
0006324954.tif 000015
【００４０】
【表１】
0006324954.tif 000016
【００４１】
【数１５】
0006324954.tif 000017
【００４２】
【表２】
0006324954.tif 000018
【００４３】
【数１６】
0006324954.tif 000019
【００４４】
複数個のＣＳＩ基準信号構成は、与えられたセルで使用されることができ、次を含み得る。
−上記ＵＥが上記ＣＳＩ−ＲＳに対してノンゼロ送信電力を仮定するゼロあるいは１個の構成
−上記ＵＥがゼロ送信電力を仮定するゼロあるいは１個の構成。
【００４５】
上位階層により構成される１６ビットビットマップゼロ電力ＣＳＩ−ＲＳで１と設定される各ビットに対して、上記ＵＥは、上記ＵＥが上位階層により構成されるノンゼロ送信電力ＣＳＩ−ＲＳを仮定するリソースエレメントとオーバーラップされるリソースエレメントを除外した、ノーマル及び拡張されたサイクリックプレフィックスの各々に対する表１及び表２で、上記４個のＣＳＩ基準信号列に対応するリソースエレメントに対してゼロ送信電力を仮定する。最上位ビットは、最も低いＣＳＩ基準信号構成インデックスに対応し、上記ビットマップでその次のビットは、順次的に増加するインデックスを有する構成に対応する。
【００４６】
ＣＳＩ基準信号は、次のような場合のみに発生することができる。
−
【数１７】
0006324954.tif 000020
がノーマル及び拡張されたサイクリックプレフィックスの各々に対して表１及び表２での条件を充足するダウンリンクスロット、及び
−上記サブフレーム番号がＴＳ ＩＩのＳｅｃｔｉｏｎＩでの条件を満足するダウンリンクスロット。
【００４７】
上記ＵＥは、ＣＳＩ信号が次のような場合で送信されないと決定するはずである。
【００４８】
−フレーム構造タイプ２の場合で特定サブフレーム（ら）で、
−ＣＳＩ−ＲＳの送信が同期信号の送信と、物理ブロードキャストチャンネル（Physical Broadcast Channel：ＰＢＣＨ）、あるいはシステム情報ブロックタイプ１（SystemInformationBlockType1）メッセージの送信と衝突するようになるサブフレームで
−ページングメッセージの送信に対して構成されるサブフレームで。
【００４９】
【数１８】
0006324954.tif 000021
【００５０】
ＴＳ３６.２１１の図６.１０.５.２−１及び図６.１０.５.２−２に対応する、ＣＳＩ基準信号構成０（基準信号Ｒ１５、Ｒ１６、Ｒ１７、Ｒ１８、Ｒ１９、Ｒ２０、Ｒ２１及びＲ２２を含む）をノーマル及び拡張サイクリックプレフィックス各々に対するサブフレームに含まれている多様なスロットのリソースエレメントにマッピングすることが図２Ａ及び図２Ｂに示されている。
【００５１】
【数１９】
0006324954.tif 000022
【００５２】
【数２０】
0006324954.tif 000023
【００５３】
【数２１】
0006324954.tif 000024
【００５４】
【表３】
0006324954.tif 000025
【００５５】
表３（ＴＳ３６.２１１のＴａｂｌｅ６.１０.５.３−１）：ＣＳＩ基準信号サブフレーム構成。
【００５６】
【数２２】
0006324954.tif 000026
【００５７】
【数２３】
0006324954.tif 000027
【００５８】
ＵＥは、サービングセルの同一のサブフレームでＣＳＩ−ＲＳの構成及び／またはゼロ電力ＣＳＩ−ＲＳ及び物理マルチキャストチャンネル（Physical Multicast Channel：ＰＭＣＨ）を期待してはならない。
【００５９】
ＣｏＭＰ送信をサポートするために、ネットワークは、複数の送信ポイントあるいはセルに該当するフィードバックを必要とする。したがって、ネットワークは、各々が一般的にＴＰに該当する複数のＣＳＩ−ＲＳリソースをセットアップすることができる。別に言及されない限り、“ＣＳＩ−ＲＳリソース”及び“ＴＰ”は、ここで相互交換され使用される。また、ＣＳＩ−ＲＳリソース構成及び各ＣＳＩ−ＲＳリソースに対する構成可能パラメータの具体的な事項が下記のようにキャプチャーされる。
【００６０】
〔ＣＳＩ−ＲＳ（ＲＡＮ１＃６８ｂｉｓからのＡｇｒｅｅｍｅｎｔ）〕
ノンゼロ電力ＣＳＩ−ＲＳリソースの構成は、少なくとも次を含む：
・ＡｎｔｅｎｎａＰｏｒｔｓＣｏｕｎｔ
・ＲｅｓｏｕｒｃｅＣｏｎｆｉｇ
・ＳｕｂｆｒａｍｅＣｏｎｆｉｇ
・Ｐｃ
・スクランブリング初期値を導出するためのパラメータＸ（ノート：Ｘは０から５０３までの範囲を有し、仮想セル識別子として解析され得る。Ｒｅｌ−１０で、Ｘは、上記サービングセルの上記物理セル識別子（Physical Cell Identifier：ＰＣＩ）であるだけである。）
【００６１】
【数２４】
0006324954.tif 000028
【００６２】
このようなパラメータは、ＣＳＩ−ＲＳリソースに対して構成される。
【００６３】
一部パラメータが一個のＣＳＩ−ＲＳリソースで複数のＴＰに対応するように上記アグリゲートＣＳＩフィードバックによるコヒーレント（coherent）ジョイント送信をサポートする決定を考慮するＣＳＩ−ＲＳポート別に構成することができるか否かが追加的に研究されている。
【００６４】
上記ＣＳＩ−ＲＳリソースが各ＴＰのチャンネルをキャプチャーする間に、上記干渉測定は、また上記ＣｏＭＰ方式を基盤とする。リリース８／１０で、単一干渉測定リソースが使用され、上記単一干渉測定リソースは、その自体が共通基準信号（Common Reference Signal：ＣＲＳ）である。上記ＣＲＳで干渉測定は、上記セル外部の全ての干渉をキャプチャーする。
【００６５】
ＣｏＭＰに対して、一つ又はそれ以上の干渉測定リソースが仮設ＣｏＭＰ方式（hypothetical CoMP scheme）に対する干渉をキャプチャーするために定義され得る。３ＧＰＰ ＲＡＮ１ ｍｅｅｔｉｎｇ＃６８ｂｉｓでの議長ノート（chairman notes）に従う最近のアグリメントは、下記のように提供される。
【００６６】
〔干渉測定リソース（ＲＡＮ１＃６８ｂｉｓからのＡｇｒｅｅｍｅｎｔ）〕：
少なくとも一つの干渉測定リソース（Interference Measurement Resource：ＩＭＲ）がＲｅｌ−１１ ＵＥに対して構成され得る。
【００６７】
最大一つあるいは複数個のＩＭＲがＲｅｌ−１１ＵＥに対して構成されることができるか否かは、追加的な研究中である。
【００６８】
各ＩＭＲは、Ｒｅｌ−１０ＣＳＩ−ＲＳリソースとして構成され得るリソースエレメント（ＲＥ）のみで構成される。
【００６９】
ＩＭＲのＲＥがノンゼロ電力ＲＳリソースとして構成されることが許可されるか否かが追加的な研究中であり、ＩＭＲのＲＥがノンゼロ電力ＲＳリソースとして構成されることが許可されるか否かは、物理リソースブロック（physical resource block：ＰＲＢ）別に４個のＲＥよりも精巧な粒度（granularity）を有することができるか否かである。
【００７０】
〔ＣＳＩ構成〕
ＣｏＭＰのサポートのために、新たなＣＳＩ−ＲＳ構成が定義され、上位階層及び実現される新たなＣＳＩプロセスによりシグナリングされる必要があり、ここで、ＣＳＩプロセスは、ノンゼロ電力（ＮＺＰ）ＣＳＩ−ＲＳリソース及び干渉測定リソース（interference measurement resource：ＩＭＲ）の組合である。上記結果を遂行する一部方法が下記で説明される。リリース１０で、ＣＳＩ−ＲＳ構成は、下記のような擬似コード（pseudo-code）により指示されるようにシグナリングされ、ここで、単一ノンゼロ電力ＣＳＩ−ＲＳ及びそのパラメータは、複数個のゼロ電力ＣＳＩ−ＲＳ構成がビットマップを使用して指示される間に指示される。
【００７１】
-- ASN1START
CSI-RS-Config-r10 ::=     SEQUENCE {
csi-RS-r10                 CHOICE {
release                     NULL,
setup                       SEQUENCE {
antennaPortsCount-r10            ENUMERATED {an1, an2, an4, an8},
resourceConfig-r10        INTEGER (0..31),
subframeConfig-r10        INTEGER (0..154),
p-C-r10                  INTEGER (-8..15)
}
}                                    OPTIONAL,                 -- Need ON
zeroTxPowerCSI-RS-r10             CHOICE {
release                     NULL,
setup                       SEQUENCE {
zeroTxPowerResourceConfigList-r10     BIT STRING (SIZE (16)),
zeroTxPowerSubframeConfig-r10         INTEGER (0..154)
}
}                                    OPTIONAL                   -- Need ON
}
-- ASN1STOP
【００７２】
〔ＣＳＩ−ＲＳ−Ｃｏｎｆｉｇ情報エレメント［Ｔ３６.３３１］〕
ＣｏＭＰをサポートする一つ又はそれ以上の干渉測定リソースを使用して、ＣＳＩ測定は、ＣＳＩ−ＲＳリソース及び干渉測定リソース（Interference Measurement Resource：ＩＭＲ）の両方に基づいて遂行される。したがって、フィードバックをセットアップするために、ＣＳＩ構成が定義され得る。上記のような内容を達成するための一部方法が下記で説明される。
【００７３】
一方法で、上記ＵＥが複数のＩＭＲリソースを使用して構成される場合、上記ＣＳＩ構成は、次のように定義されることができ、上記ＣＳＩ構成の各々は、関連された（ＣＳＩ−ＲＳリソースインデックス（CSI resource index）、ＩＭＲリソースインデックス（IMR resource index））ペアを有する。
【００７４】
【表４】
0006324954.tif 000029
【００７５】
〔実施例１〕
下記の擬似コードにより示される一方法で、ＩＭＲリソースインデックスは、４送信機（transmitter：Ｔｘ）ＣＳＩ−ＲＳパターン（ＴＳ３６.２１１のＴａｂｌｅ６.１０.５.２−１に含まれている４個のＣＳＩ基準信号列を使用する）に基づいてリリース１０でゼロ電力ＣＳＩ−ＲＳに対して使用される現在定義されている１６個のＣＳＩ−ＲＳ構成中の一つに基づくことができる。
【００７６】
-- ASN1START
CSI-Config-r11 ::=  SEQUENCE {
csi-RS-r11          CHOICE {
release              NULL,
setup                 SEQUENCE {
antennaPortsCount-r11                 ENUMERATED {an1, an2, an4, an8},
resourceConfig-r11                         INTEGER (0..31),
subframeConfig-r11                         INTEGER (0..154),
p-C-r11                             INTEGER (-8..15)
IMR-resourceConfigr-r11         INTEGER (0..15)
IMRSubframeConfig-r11     INTEGER (0..154)
}
}                               OPTIONAL,                -- Need ON
}
-- ASN1STOP
【００７７】
下記の擬似コードにより示される他の方法で、アンテナポートは、上記１、２、４あるいは８Ｔｘパターンのうちいずれか一つの構成を許可するように追加的に指示されることができる。
【００７８】
-- ASN1START
CSI-Config-r11 ::=  SEQUENCE {
csi-RS-r11          CHOICE {
release               NULL,
setup                 SEQUENCE {
antennaPortsCount-r11                 ENUMERATED {an1, an2, an4, an8},
resourceConfig-r11                         INTEGER (0..31),
subframeConfig-r11                         INTEGER (0..154),
p-C-r11                             INTEGER (-8..15)
IMR-antennaPortsCount-r11       ENUMERATED {an1, an2, an4, an8}
IMR-resourceConfigr-r11         INTEGER (0..15)
IMRSubframeConfig-r11     INTEGER (0..154)
}
}                               OPTIONAL,                -- Need ON    
}
-- ASN1STOP
【００７９】
下記の擬似コードにより示されるもう一つの方法で、アンテナポートを指示する代りに、上記１、２、４あるいは８Ｔｘパターンのうちいずれか一つの構成をカウントすることがアグリゲートビットフィールド、すなわち全体３２（１ or ２ Ｔｘ）＋１６（４Ｔｘ）＋８（８Ｔｘ）＝５６パターンを指示する単一ビットフィールドを使用して許可されることができる。
【００８０】
-- ASN1START
CSI-Config-r11 ::=  SEQUENCE {
csi-RS-r11          CHOICE {
release               NULL,
setup                 SEQUENCE {
antennaPortsCount-r11                 ENUMERATED {an1, an2, an4, an8},
resourceConfig-r11                         INTEGER (0..31),
subframeConfig-r11                         INTEGER (0..154),
p-C-r10                             INTEGER (-8..15)
IMR-resourceConfigr-r11 INTEGER (0..56)
IMRSubframeConfig-r11 INTEGER (0..154)
}
}                               OPTIONAL,                -- Need ON
}
-- ASN1STOP
【００８１】
上記複数のＣＳＩ構成／プロセスがＣＳＩフィードバック目的のためにＵＥに対して定義され得る。与えられたＣＳＩプロセスは、周期的及び／または非周期的報告により使用され得る。上記ＣＳＩプロセスの各々は、周期的及び非周期的ＣＳＩフィードバックの両方に対応され得るか、あるいは別途のプロセスがこのような目的のために定義され得る。
【００８２】
〔実施例２〕
他の方法で、単一ＩＭＲリソースが構成されることができ、これに対して上記複数のＣＳＩ−ＲＳリソースは、別途に構成される。この場合、各ＣＳＩ−ＲＳ構成は、下記の擬似コードセグメント（pseudo-code segment）により示されているような上記関連ＣＳＩ−ＲＳリソース及び少なくとも上記共通ＩＭＲリソースにより定義される。
【００８３】
IMR-CSI-RS-r11      CHOICE {
release            NULL,
setup              SEQUENCE {
IMRResourceConfig-r11                     INTEGER (0..15)
IMRSubframeConfig-r11                     INTEGER (0..154)
}
}
【００８４】
構成（１、２、４、８Ｔｘ）パターンの全体集合は、下記の二つの擬似コードセグメントにより示されているようなａｎｔｅｎｎａｐｏｒｔｓｃｏｕｎｔパラメータあるいはアグリゲートＩＭＲｒｅｓｏｕｒｃｅｃｏｎｆｉｇパラメータを使用中であり得る。
【００８５】
IMR-CSI-RS-r11      CHOICE {
release            NULL,
setup              SEQUENCE {
IMR-antennaPortsCount-r11                 ENUMERATED {an1, an2, an4, an8},
IMRResourceConfig-r11                     INTEGER (0..15)
IMRSubframeConfig-r11                     INTEGER (0..154)
}
}
IMR-CSI-RS-r11      CHOICE {
release            NULL,
setup              SEQUENCE {
IMRResourceConfig-r11                     INTEGER (0..56)
IMRSubframeConfig-r11                     INTEGER (0..154)
}
}
【００８６】
一方法で、一つ又はそれ以上のＩＭＲリソースが上述したような定義を使用して構成され得る。
【００８７】
一方法で、ＩＭＲリソースのリストは、
IMR-resourceConfigr-r11               INTEGER (0..X)
with
IMR-resourceConfigr-r11             BIT STRING (SIZE(16))
を交換することによって使用される単一フィールドを使用してセットアップされ得る。
【００８８】
他の方法で、上記干渉測定仮設は、少なくとも一つのＩＭＲリソース及び少なくとも一つのノンゼロ電力ＣＳＩ−ＲＳリソースに基づくことができる。この場合、上記ＵＥは、該当するＲＥの上記受信された信号電力コントリビューション（contribution）を但し合算あるいは平均化することによってＩＭＲリソースで干渉を測定するように期待される。ノンゼロ電力ＣＳＩ−ＲＳリソースからの上記干渉測定コンポーネントを導出するために、上記ＵＥは、チャンネル推定を遂行し、上記ノンゼロ電力ＣＳＩ−ＲＳリソースに対応するように上記ＣＳＩ−ＲＳポートの和あるいは平均電力に基づいて上記干渉電力を導出する。
【００８９】
一例が上述したような例題２で構成されたようなＩＭＲリソースＹを使用して下記に示されている。
【００９０】
【表５】
0006324954.tif 000030
【００９１】
上記使用されるノンゼロＣＳＩ−ＲＳ（Ｚ１、Ｚ２）リソースは、上記フィードバックモードに基づいて黙示的に（implicitly）知らせるか、あるいは上述したような表でのように明示的に（explicitly）構成され得る。
【００９２】
黙示的構成のための一方法で、干渉測定のために使用される上記ノンゼロ電力リソース（Ｚ１）は、上記ＵＥに対して構成された上記ノンゼロ電力ＣＳＩ−ＲＳの一部あるいは全部を含むことができる。
【００９３】
一方法で、ＣＳＩ構成に対する干渉測定のために使用される上記ノンゼロ電力ＣＳＩ−ＲＳリソースは、上記対応するＣＳＩ−ＲＳリソースインデックス（構成１に対してＸ１）を黙示的に基にすることができる。上記のような方法の一例は、干渉測定のために使用される上記ノンゼロ電力リソース（Ｚ１）がＸ１を除外した、上記ＵＥに対する上記全ての構成されたＣＳＩ−ＲＳリソースであるということになる。
【００９４】
他の方法で、干渉測定のために使用される上記ノンゼロ電力リソース（Ｚ１）は、上記ＵＥに対する上記ＣＳＩ構成（すなわち、Ｘ１、Ｘ２）に対応するＣＳＩ−ＲＳリソースを除外した上記ＵＥに対して構成される上記ＣＳＩ−ＲＳリソースの全部であり得る。一般的に、（Ｘ１、Ｘ２）は、報告集合として考慮され得、これに対してＸ１は、ＣＳＩ目的のための送信集合として考慮され得る。
【００９５】
一方法で、上記ＰＤＳＣＨは、上記構成されるＩＭＲリソース（ら）に対応する上記ＲＥにマッピングされない。リソースエレメントに対するＰＤＳＣＨマッピングに対する規則は、現在下記のように指示される修正を使用してＴＳ３６.２１１のＳｅｃｔｉｏｎ６.３.５で概略的に記載されている。
【００９６】
【数２５】
0006324954.tif 000031
【００９７】
【数２６】
0006324954.tif 000032
【００９８】
〔新たなＣＱＩ定義〕
上記新たなＣＳＩ及びＩＭＲ構成に対応するように、新たなＣＱＩ定義が成立しなければならない。一方法で、上記ＣＱＩ定義は、下記のように修正される。
【００９９】
上記ＣＳＩ基準リソースで、上記ＵＥは、上記ＣＱＩインデックスと、また構成される場合、ＰＭＩとＲＩを導出する目的のために下記のような内容を仮定する。
【０１００】
【数２７】
0006324954.tif 000033
【０１０１】
【数２８】
0006324954.tif 000034
【０１０２】
【数２９】
0006324954.tif 000035
【０１０３】
・（新たな基準）ＩＭＲベースの干渉測定は、上記ＵＥに対して構成される
・（新たな基準）上記干渉は、上記ＩＭＲリソースあるいは上記ＣＱＩ測定のために構成される一つ又はそれ以上のノンゼロ電力ＣＳＩ−ＲＳリソースで観測される干渉の和ということを仮定し、上記個別ｃｏｎｔｒｉｂｕｔｉｏｎは、次のように獲得され、
・（新たな基準）ノンゼロ電力ＣＳＩ−ＲＳリソースに基づく干渉測定に対して、上記干渉は、上記ＣＳＩ−ＲＳリソースのＣＳＩ−ＲＳアンテナポートに該当する基準信号での上記受信［平均］電力に基づく。
・（新たな基準）ＩＭＲリソースに基づく干渉測定に対して、上記干渉測定は、上記ＩＭＲリソースに該当する上記ＲＥで観測される全体電力（あるいは平均電力）である。
・ＣＳＩ−ＲＳ及びゼロ電力ＣＳＩ−ＲＳ及びＩＭＲリソースに対して割り当てられたいずれのＲＥもないと仮定する
・ＲＲＳのために割り当てられたいずれのＲＥもないと仮定する。
・Ｔａｂｌｅ７.２.３−０により与えられるＰＤＳＣＨ送信方式は、上記ＵＥ（上記デフォルトモード（default mode）であり得る）に対して現在構成されている上記送信モードに基づく。
【０１０４】
一方法で、上記干渉測定は、ＩＭＲリソースが上位階層により構成される場合のみに遂行される。この場合、上記ＣＱＩ定義で干渉測定に対する条件は、次のように修正でき、
・（新たな基準）少なくとも一つＩＭＲリソースが上記ＵＥに対する上位階層により構成される場合、
他の方法で、周期的フィードバックモードあるいは非周期的ＣＳＩ要求の一部として要求される上記ＣＱＩに該当するＣＳＩ構成が構成されたＩＭＲリソースを有する場合、干渉測定は、上記条件で定義され得る
・（新たな基準）少なくとも一つＩＭＲリソースが上記周期的ＣＳＯ構成あるいは非周期的ＣＳＩの一部として構成される場合
ノンゼロ電力ＣＳＩ−ＲＳリソースを基盤とする干渉測定がサポートされない場合、上記ＣＱＩ定義でのテキスト（ｔｅｘｔ）は、下記のように修正できる。
・（新たな基準）ＩＭＲベースの干渉測定が上記ＵＥに対して構成される場合
・（新たな基準）上記干渉は、ＩＭＲリソースに基づくと仮定し、上記干渉は、上記ＩＭＲリソースに該当するＲＥで観測される全体電力（あるいは平均電力）である。
【０１０５】
以前に概略化されている同じ修正が干渉仮定に基づくＩＭＲをトリガーする条件に対してだけでなく、この場合にも適用され得る。
【０１０６】
複数のＣＳＩ（あるいはＣＳＩプロセス）及び／またはＩＭＲ構成に対する上記新たな定義を使用して、物理アップリンク制御チャンネル（Physical Uplink Control Channel：ＰＵＣＣＨ）に基づく周期的フィードバックモードに対する一部方法がまた説明される。
【０１０７】
〔ＰＵＣＣＨでの周期的フィードバックモード〕
周期的フィードバックモードは、ＰＵＣＣＨチャンネルでアップリンク制御情報のセミ固定構成に基づく。上記周期的フィードバックモードは、特定周期性及びオフセットを有して構成される。上記サポートされるフィードバックモードと、個別報告タイプ及びタイミング構成（周期性、オフセット）は、３ＧＰＰ標準３６.２１３から下記のように要約される。
【０１０８】
【表６】
0006324954.tif 000036
【０１０９】
表６−Ｔａｂｌｅ７.２.２−１：ＰＵＣＣＨ ＣＳＩ報告モードのためのＣＱＩ及びＰＭＩフィードバックタイプ［３６.２１３］
差別化された周期及びオフセットを有する下記のＣＱＩ／ＰＭＩ及びＲＩ報告タイプは、Ｔａｂｌｅ７.２.２−３に与えられたような上記ＰＵＣＣＨ ＣＳＩ報告モードに対してサポートされる。
【０１１０】
・タイプ１報告は、上記ＵＥ選択されたサブバンドに対するＣＱＩフィードバックをサポートする
・タイプ１ａ報告は、サブバンドＣＱＩ及び第２のＰＭＩフィードバックをサポートする
・タイプ２、タイプ２ｂ、及びタイプ２ｃ報告は、広域ＣＱＩ及びＰＭＩフィードバックをサポートする
・タイプ２ａ報告は、広域ＰＭＩフィードバックをサポートする
・タイプ３報告は、ＲＩフィードバックをサポートする
・タイプ４報告は、広域ＣＱＩをサポートする
・タイプ５報告は、ＲＩ及び広域ＰＭＩフィードバックをサポートする
・タイプ６報告は、ＲＩ及びＰＴＩフィードバックをサポートする
【０１１１】
【表７Ａ】
0006324954.tif 000037
【表７Ｂ】
0006324954.tif 000038
【０１１２】
【数３０】
0006324954.tif 000039
【０１１３】
【表８】
0006324954.tif 000040
【０１１４】
【数３１】
0006324954.tif 000041
【０１１５】
【表９】
0006324954.tif 000042
【０１１６】
【数３２】
0006324954.tif 000043
【０１１７】
【表１０】
0006324954.tif 000044
【０１１８】
【数３３】
0006324954.tif 000045
【０１１９】
一例として、上記広域ＣＱＩ／ＰＭＩ報告タイミングは、構成されたタイミングパラメータに基づいて、下記の内容のように定義されている。類似の定義が他の報告タイプに対して３６.２１３に定義されている。
【０１２０】
広域ＣＱＩ／ＰＭＩ報告が構成される場合：
・広域ＣＱＩ／ＰＭＩ報告に対する上記報告インスタンスは、次を満足させるサブフレームである。
【０１２１】
【数３４】
0006324954.tif 000046
【０１２２】
【数３５】
0006324954.tif 000047
【０１２３】
【数３６】
0006324954.tif 000048
【０１２４】
ＣｏＭＰ送信をサポートするために、フィードバックは、一つ以上のＣＳＩ−ＲＳ構成（あるいはリソース）（ＴＰ）に該当するようにセットアップされなければならなく、新たなフィードバックモードは、このような目的のために定義される必要がある。一部オプションは、下記で（ＣＳＩ−ＲＳリソース、ＩＭＲリソース）ペアを意味するために使用される“ＣＳＩ構成”を有して説明される。しかし、ＣＳＩ構成は、上記ＣＳＩ−ＲＳリソースによって任意の単一ＩＭＲリソースと簡単に交換できるということが分かるはずである。
【０１２５】
〔オプション１：複数のＣＳＩ構成のための独立的な周期的ＰＵＣＣＨ〕
このようなオプションを有して、上記周期的フィードバックモードパラメータは、二つ又はそれ以上のＣＳＩ構成に対して独立的にセットアップされる。このようなオプションは、一例で、ＣＳＩ−ＲＳ間フィードバックが不要である場合に適している。ＣＳＩ−ＲＳ間リソースフィードバックは、一つ以上のＣＳＩ−ＲＳリソースの測定に基づくフィードバックを示す。ＣＳＩ−ＲＳ間リソースフィードバックの一部例題は、以後に説明される。
【０１２６】
二つ又はそれ以上の周期的報告が構成される場合、選択された上記タイミングパラメータは、特定報告の衝突を起こすことがある。上記のような衝突は、上記スケジューラによるパラメータの適合した選択により時々回避可能であるが、柔軟性イッシュなどによっていつも可能なことではない。上記衝突を処理する他の方式が存在し、上記他の方式のうち一部が下記で説明される。下記の方法及び実施形態は、上記複数のコンポーネントキャリアに対する二つ又はそれ以上の周期的ＣＳＩ報告インスタンスは、同一のサブフレームでスケジューリングされる場合、複数のコンポーネントキャリアで構成されるＵＥにも適用され得るということに留意すべきである。また、上記方法及び規則は、衝突解決のために任意の順序で適用され得る。
【０１２７】
上記報告のうちの一つのみが送信され、残りの報告は、ドロップされる（送信されないことがある）。この場合、一部ドロップされる規則が定義されなければならなく、上記一部ドロップされる規則は、上記ＵＥと進化したノードＢ（ｅＮＢ）の両方に対して明確である。
【０１２８】
〔実施形態１：ドロップ規則を使用して一部報告をドロップする〕
異なるＣＳＩ−ＲＳリソースに対して２個のＰＵＣＣＨ報告間の衝突の場合、次に基づいて上記フィードバックをドロップする。
【０１２９】
１．報告タイプ
一実施形態で、上記送信される報告は、上記報告タイプに基づいて選択される。例えば、ランク（ＲＩ）報告は、他のＣＱＩ／ＰＭＩ報告よりもより一層効率的に考慮され、広域ＣＱＩ／ＰＭＩ報告は、サブバンドＣＱＩ／ＰＭＩ報告を通じて優先的に処理され得る。上記のような場合で、優先順位順序は、各報告に対して定義される。一例として、報告タイプ３、５、６は、報告タイプ１、１ａ、２、２ａ、２ｂ、２ｃ、又は４を通じてより高い優先順位を有することができる。したがって、第１のＣＳＩ−ＲＳリソースに対する報告タイプがタイプ３であり、第２のＣＳＩ−ＲＳに対する報告タイプがタイプ１である場合、第１のＣＳＩ−ＲＳリソースに該当する報告は、優先的に送信処理される。
【０１３０】
２．ＣＳＩ−ＲＳ送信
上述したように、各ＣＳＩ−ＲＳリソースは、上記該当するＣＳＩ−ＲＳリソースが送信される場合、周期性及びタイミングオフセットによりパラメータ化される固有なサブフレーム構成（以前の説明を参照）を有する。一方法で、異なるＣＳＩ−ＲＳリソースに該当する報告は、上記該当するリソースの以前ＣＳＩ−ＲＳ送信とのタイミング関係に基づいて優先順位化される。一方法で、上記該当するＣＳＩがより有用な場合（ＣＳＩの時間変化を考慮して）最近のＣＳＩ−ＲＳ送信を有するＣＳＩ−ＲＳリソースに該当する報告は、優先順位化される。
【０１３１】
３．最高性能を有するＣＳＩ−ＲＳリソース
一方法で、上記ＣＳＩ−ＲＳリソースに該当する報告は、上記ＣＳＩ−ＲＳリソースによる上記性能に基づいて優先順位化される。一方法で、上記優先順位化は、ＣＱＩ（広域又はサブバンド）に基づく。上記ネットワークが上記現在のＣＱＩを認識できないために、一方法で、上記選択されたＣＳＩ−ＲＳリソースのインデックスが報告される。他の方法で、追加的な報告を回避するために、上記優先順位化は、各報告のごく最近に報告された広域ＣＱＩに基づく。
【０１３２】
他の方法で、他のフィードバックパラメータは、また性能メトリック（performance metric）としてＲＩのように使用されることができる。
【０１３３】
一方法で、ＲＳＲＰタイプメトリックがＣＳＩ−ＲＳ構成と関連され得る場合、上記報告のためのＣＳＩ−ＲＳの選択は、上記該当するＲＳＲＰ又はＲＳＲＱに基づく。上記ＲＳＲＰは、上記ＵＥにより別途に報告されｅＮＢに知られる。
【０１３４】
４．ＣＳＩ−ＲＳリソースインデックス
一方法で、ＣＳＩ−ＲＳリソースに該当する報告の優先順位化は、簡単に上記ＣＳＩ−ＲＳリソースインデックスに基づく。複数のＣＳＩ−ＲＳリソースは、ＲＲＣ（上位階層）シグナリングにより構成され、これによって上記ＣＳＩ−ＲＳリソースの各々にインデックスを黙示的に連関させるように（上記シグナリングされた順序から）することができる。これは、上記ネットワークがネットワーク構成によるＣＳＩ−ＲＳリソースを優先順位化させることを許可する。上記のような優先順位化／インデックス化は、上記該当するＣＳＩ−ＲＳリソースに対して上記ネットワークにより測定されたスケジューリング側面及び／または信号強さにより影響を受けることができる。
【０１３５】
５．報告モードパラメータ
一方法で、上記報告の優先順位化は、周期性及びオフセット（Ｎｐｄ、Ｎｏｆｆｓｅｔ）のような上記フィードバックモードセットアップパラメータに基づく。
【０１３６】
〔実施形態２：上記報告の多重化〕
一方法で、二つ又はそれ以上のＣＳＩ−ＲＳに該当する複数のＣＳＩ報告が衝突する場合、全てのＣＳＩ報告は、共に多重化され送信される。異なる接近方式が多重化のために使用されることができる。
【０１３７】
１．ＰＵＣＣＨフォーマット３に基づいて
上記個別報告が異なるＰＵＣＣＨフォーマットに基づいて送信されるとしても、上記衝突の場合、複数の報告が２２個のビットあるいはその未満をサポートできるより高い容量のＰＵＣＣＨチャンネルフォーマット３を使用して単一報告で多重化される。
【０１３８】
一方法で、３個以上の報告が衝突する場合、上記報告のうち２個が多重化され、残りの報告はドロップされる。上記多重化された報告と上記ドロップされた報告を選択するための優先順位化は、以前に説明された一つ又はそれ以上のドロップ規則に従う。他の例で、多重化される報告の個数は、上記多重化される報告の個数が上記ＰＵＣＣＨフォーマット３のフォーマットサイズによりサポートできるようにする。例えば、３個のＲＩ報告（各々が≦３ビット）は、単一ＰＵＣＣＨフォーマット３報告に収容されることができる。
【０１３９】
一方法で、ＰＵＣＣＨフォーマット３を使用して上記報告を多重化又はドロップする（一つを除いて）ことは、上記ユーザのリンク品質に基づいて実行される。一方法で、ＰＵＣＣＨフォーマット３を使用して上記報告を多重化するかあるいはドロップするか（一つを除いて）は、上位階層により構成され得る。
【０１４０】
２．ＰＵＳＣＨでの条件化
上記ネットワークは、上記衝突イベントの場合、上記動作を制御することができる。一方法で、ＰＵＳＣＨリソースは、上記サブフレームで上記アップリンク制御情報（ＵＣＩ）（又はＣＳＩ）での送信のために上記ユーザに対してスケジューリングされることができる。上記のようなＰＵＳＣＨリソースに対するアップリンク（ＵＬ）グラントが検出される場合、上記ユーザは、上記多重化された報告を上記ＰＵＳＣＨ（ＰＵＣＣＨより大きい容量を有する）で送信する。ＰＵＳＣＨリソースに対するグラントが検出されない場合、上記ユーザは、簡単に一つ又はそれ以上の報告を一例で実施形態１によってドロップさせる。より一般的に、上記多重化／ドロップ動作は、上記ＰＵＳＣＨリソースの構成及びサイズに基づいて実行され得る（一例で、二又は三個の報告は、上記ＰＵＳＣＨリソースサイズ及び／または構成に基づいて多重化され得る）。
【０１４１】
また、上記ネットワークは、上記ネットワークが上記衝突インスタンスを認識しているために、セミ固定的にＰＵＳＣＨリソースを構成できる。上記のような場合で、ＰＵＳＣＨリソースが衝突イベントを有するサブフレームで構成される場合、報告の多重化が使用され得る。そうでない場合、ＣＳＩドロップが例えば実施形態１によって使用され得る。
【０１４２】
上記のように構成されたＰＵＳＣＨリソースに対するＵＬグラントがＣＳＩ要求フィールドに対してノンゼロ値を有する場合、ＣＳＩ要求により構成された非周期的ＣＳＩ報告は送信され、周期的ＣＳＩはドロップされる。
【０１４３】
上記のように構成されたＰＵＳＣＨリソースに対するＵＬグラントが上記ＣＳＩ要求フィールドに対してゼロ値を有する場合、上記二つ又はそれ以上のＣＳＩ報告の衝突イベントで、周期的ＣＳＩ報告は、上述したように上記ＣＳＩ報告を多重化させて転送される。
【０１４４】
一方法で、ＰＵＣＣＨとＰＵＳＣＨの同時送信が構成されるとしても、周期的ＣＳＩ報告の衝突の場合、上記ＣＳＩ及びデータの両方がＰＵＳＣＨで多重化される。
【０１４５】
一部の場合で、認知／否定的認知（acknowledgement/non-acknowledgement：ＡＣＫ／ＮＡＣＫ）フィードバックのような上記アップリンクでの他の制御情報は、ＣＳＩと衝突することがある。この場合、上記ドロップ及び多重化規則は、上記のようなイベントによりさらに修正され得る。
【０１４６】
一方法で、ユーザに同時ＰＵＣＣＨ／ＰＵＳＣＨ送信が構成される場合、上記周期的ＰＵＣＣＨ ＣＳＩ報告の衝突イベントで、上記ＣＳＩは、スケジューリングされたＰＵＳＣＨリソースで送信され、ＡＣＫ／ＮＡＣＫは、ＡＣＫ／ＮＡＣＫに対して構成されたＰＵＣＣＨリソース、一例でＰＵＣＣＨフォーマット１ａ／１ｂ／３で送信される。ユーザに同時ＰＵＣＣＨ／ＰＵＳＣＨ送信が構成されない場合、上記周期的ＰＵＣＣＨ ＣＳＩ報告の衝突イベントで、上記ＣＳＩ及びＡＣＫ／ＮＡＣＫは、スケジューリングされたＰＵＳＣＨで送信される。
【０１４７】
３．セミ固定的に構成されたＰＵＣＣＨフォーマット３
一方法で、ネットワークは、上記ネットワークが上記衝突インスタンスを認識しているために、セミ固定的にＰＵＣＣＨフォーマット３リソースを構成することができる。上記構成されたＰＵＣＣＨフォーマット３リソースが有用な場合、ユーザは、上記構成されたＰＵＣＣＨフォーマット３で上記ＣＳＩを多重化させるか、そうでない場合、例えば実施形態１によってＣＳＩをドロップすることができる。
【０１４８】
一部の場合で、ＡＣＫ／ＮＡＣＫフィードバックのような上記アップリンクでの他の制御情報は、ＣＳＩと衝突することがある。この場合、上記ドロップ及び多重化規則は、上記のようなイベントによりさらに修正され得る。
【０１４９】
一方法で、ＡＣＫ／ＮＡＣＫ（又はスケジューリング要求（ＳＲ））がＣＳＩと衝突する場合、上記一つ又はそれ以上のＣＳＩは、ＡＣＫ／ＮＡＣＫに対して構成されたＰＵＣＣＨフォーマット３を使用してＡＣＫ／ＮＡＣＫと多重化され得る。他の方法で、ＡＣＫ／ＮＡＣＫ（又はＳＲ）がＣＳＩと衝突する場合、上記一つ又はそれ以上のＣＳＩは、ＣＳＩに対して構成されたＰＵＣＣＨフォーマット３を使用してＡＣＫ／ＮＡＣＫと多重化され得る。このような動作は、ｓｉｍｕｌｔａｎｅｏｕｓＡｃｋＮａｃｋＡｎｄＣＱＩの上位階層構成された値に基づいて決定され得る。すなわち、ＡＣＫ／ＮＡＣＫ及びＣＳＩは、ｓｉｍｕｌｔａｎｅｏｕｓＡｃｋＮａｃｋＡｎｄＣＱＩ＝＝ＴＲＵＥの場合に多重化され、これに対してｓｉｍｕｌｔａｎｅｏｕｓＡｃｋＮａｃｋＡｎｄＣＱＩ＝ＦＡＬＳＥの場合、ＡＣＫ／ＮＡＣＫのみがＣＱＩをドロップさせながら、上記ＡＣＫ／ＮＡＣＫに対して構成されたＰＵＣＣＨフォーマット３で送信される。
【０１５０】
他の方法で、ユーザに同時ＰＵＣＣＨ／ＰＵＳＣＨ送信が構成される場合、ＰＵＳＣＨがスケジューリングされたサブフレームでの上記周期的ＰＵＣＣＨ ＣＳＩ報告の衝突イベントで、上記ＣＳＩは、スケジューリングされたＰＵＳＣＨリソースで送信され、上記ＡＣＫ／ＮＡＣＫは、ＡＣＫ／ＮＡＣＫに対して構成されたＰＵＣＣＨリソースで送信され、ユーザに同時ＰＵＣＣＨ／ＰＵＳＣＨ送信が構成されない場合、ＰＵＳＣＨがスケジューリングされているサブフレームでの周期的ＰＵＣＣＨ ＣＳＩ報告の衝突イベントで、上記ＣＳＩ及びＡＣＫ／ＮＡＣＫは、スケジューリングされたＰＵＳＣＨリソースで送信される。
【０１５１】
明確にするために、“ＣＳＩ構成”は、少なくとも上記該当するＣＳＩ−ＲＳリソース及び上記ＩＭＲリソースを表すために使用される。また、上記ＣＳＩ構成は、干渉パートに対して使用され得る上記ノンゼロ電力ＣＳＩ−ＲＳリソースのような他のパラメータを含み得る。他の一方、ＣＳＩ報告は、関連されるＣＳＩ構成及びサービングセルを有するアップリンクサブフレームで送信されるフィードバック報告であり、上記報告タイプ中の一つに属し、ＰＭＩ／ＣＱＩ／ＲＩのようなフィードバックエレメントを含む。このコンテクストで、また上記ＣＳＩ報告は、与えられたサブフレームで衝突中である上記報告に対応する。
【０１５２】
同一のサービングセル及び同一のＣＳＩ構成に対応する２個のＣＳＩ報告が衝突する場合、単一ＣＳＩ報告が上記タイプに基づいて同一のサービングセルに対する衝突に対して３６.２１３に定義されている次のような方法を使用して選択される。すなわち、一個のサービングセルのＰＵＣＣＨ報告タイプ３、５、あるいは６を有するＣＳＩ報告と上記同一のサービングセルのＰＵＣＣＨ報告タイプ１、１ａ、２、２ａ、２ｂ、２ｃ、あるいは４を有するＣＳＩ報告の衝突の場合で、ＰＵＣＣＨ報告タイプ１、１ａ、２、２ａ、２ｂ、２ｃ、あるいは４を有する後者のＣＳＩ報告は、低い優先順位を有し、ドロップされる。上記のような第１の段階が適用されて、本開示で説明される上記衝突規則の各々が固有な（サービングセル、ＣＳＩ構成ペア）を有するＣＳＩ報告の衝突を解決することに適用されると仮定される。下記の実施形態で、与えられた衝突インスタンスで、第１の段階解決方式での上述したような理解で上記二つの間の一対一マッピングが存在するために、“ＣＳＩ構成”及び“ＣＳＩ報告”は、便宜上、時々相互に交換され使用されることができる。
【０１５３】
〔実施形態３：上記ＣＳＩ報告の圧縮〕
他の方法で、上記複数のＣＳＩ構成の衝突ＣＳＩ報告に対応する上記ＣＳＩパラメータ（例えば、ＰＭＩ／ＲＩ／ＣＱＩ）は、上記オーバーヘッドを減少させるために圧縮され得る。一方法で、上記圧縮（下記で追加的に説明されるような）は、上記衝突ＣＳＩ報告の報告タイプが同一な場合に適用され得る。
【０１５４】
一方法で、２個の衝突ＣＳＩ報告は、１１ビット未満に圧縮される。圧縮は、異なる接近方式により遂行され得る。圧縮の一方法で、上記該当するパラメータは、相互にジョイント符号化（jointly encoded）されるかあるいは差分符号化（differentially encoded）される。他の方法で、上記一つ又はそれ以上のパラメータは、ＣＳＩ報告間に調整される。一例として、上記ランク及び／またはＰＭＩは、ＣＳＩ報告間に同一であるように要求され得る。
【０１５５】
一方法で、ランクが同一であるように要求される場合、上記ランクは、上記ＵＥにより次に基づいて決定され得る。
【０１５６】
・最も高く測定されたＣＱＩを有する上記ＣＳＩ−ＲＳ報告に該当する上記ランク；
・最も低く（又は最も高く）測定されたランクを有する上記ＣＳＩ−ＲＳ報告に該当する上記ランク；
・二つの周期的報告の衝突の場合で適用されるＣＳＩ報告のために上記ネットワークにより明示的に構成され得る上記制限されたランク；
一方法で、上記衝突ＣＳＩ報告の上記二つのＣＳＩ構成が同じ関連ＣＳＩ−ＲＳリソース（異なるＩＭＲリソース構成）を有する場合、ＰＭＩは、同一であるように要求され得る。上記ＰＭＩは、次に基づいて報告されることが要求され得る。
・最も高く（又は最も低く）測定されたＣＱＩを有する上記ＣＳＩ−ＲＳ報告のＰＭＩ；  
・最も高く（又は最も低く）測定されたランクを有する上記ＣＳＩ−ＲＳ報告のＰＭＩ；
・二つの周期的報告の衝突の場合に適用され得るＣＳＩ報告に対して上記ネットワークにより明示的に構成される上記ＣＳＩ−ＲＳ構成インデックス又は優先順位化；
・二つの周期的報告の衝突の場合に適用され得るＣＳＩ報告に対して上記ネットワークにより明示的に構成される上記関連ＩＭＲリソースインデックス又は優先順位化
一方法で、複数の周期的ＣＳＩ報告の衝突の場合、上記異なるＣＳＩ報告に該当するフィードバックモードが同一な場合、圧縮が適用され得る。これとは異なり、上記フィードバックモードが異なる場合、ドロップ又は多重化（圧縮を使用しない）が適用され得る。
【０１５７】
一方法で、異なる処理規則が上記ＣＳＩ報告に該当するＣＳＩ構成に基づいて適用され得る。一実施形態で、次のような規則が使用される。
・上記ＣＳＩ構成が同一のＣＳＩ−ＲＳリソースを有するが、異なるＩＭＲリソースを有する場合、上記ＰＭＩは調整され、上記ランクは個別的に報告される。
・上記ＣＳＩ構成が同一のＩＭＲリソースを有するが、異なるＣＳＩ−ＲＳリソースを有する場合、上記ランクは調整され、上記ＰＭＩは個別的に報告される。
・上記ＣＳＩ構成が同一のＩＭＲリソースでも、同一のＣＳＩ−ＲＳリソースでも有しない場合、上記ランク及びＰＭＩの両方は、個別的に報告される。-すなわち、非圧縮。
一方法で、ＣＳＩ構成に対する干渉測定は、ＩＭＲリソース及び一つ又はそれ以上のノンゼロ電力ＣＳＩ−ＲＳリソースの両方に基づいて遂行され得る。上記のような場合で、上記のような規則が次のように再作成される。
・上記ＣＳＩ構成が同一のＣＳＩ−ＲＳリソースを有するが、異なる干渉測定構成を有する場合、上記ＰＭＩは調整され、上記ランクは個別的に報告される。
・上記ＣＳＩ構成が同一の干渉測定構成を有するが、異なるＣＳＩ−ＲＳリソースを有する場合、上記ランクは調整され、上記ＰＭＩは調整されない；
・上記ＣＳＩ構成が同一の干渉測定構成でも、同一のＣＳＩ−ＲＳリソースでも有しない場合、上記ランク及びＰＭＩの両方が個別的に報告される-すなわち、非圧縮。ここで、干渉測定構成は、少なくともＩＭＲリソース（そして、干渉測定のために構成される選択的ノンゼロ電力リソース）を表すために使用される。
一方法で、上記のような規則の各々で、第３の条件が次のように修正され得る。
【０１５８】
上記ＣＳＩ構成が同一の干渉測定構成でも同一のＣＳＩ−ＲＳリソースでも有しない場合、上記ＣＳＩ報告のうち一個のみ（あるいは二つ以上の衝突報告が存在する場合にサブ集合）がフィードバックされ、残りはドロップされる。
【０１５９】
〔実施形態４：キャリアアグリゲーション＋ＣｏＭＰを有する報告の衝突〕
上記衝突ＣＳＩ報告が一つ以上のセル（キャリア）に対応し、少なくとも一つのセルの各々が、ＵＥが異なるＣＳＩ−ＲＳ構成だけでなく異なるキャリアに対応する複数の周期的フィードバックで構成され得る場合に発生し得るＣＳＩに対応する複数のＣＳＩ報告を有する場合がこれから考慮される。三個の報告の衝突例題が下記に示されている。
【０１６０】
【表１１】
0006324954.tif 000049
【０１６１】
下記で説明される実施形態は、上記のようなＣＳＩ報告の衝突に関するものである。下記の実施形態で、与えられた衝突インスタンスで、上記二つの間の一対一マッピングが存在するために、“ＣＳＩ構成”及び“ＣＳＩ報告”は、相互に交換され使用され得る。
【０１６２】
第１の接近方式で、ＣＡのみあるいはＣｏＭＰのみを考慮する衝突の場合に対する規則が下記に要約されているように定義され得る。
【０１６３】
１）ＣｏＭＰのないキャリアアグリゲーション（ＣＡ）−このような規則は、各々が異なるセルに対応する複数の報告が存在する場合、衝突を解決するために定義される。単一ＣＳＩ構成のみが各セル別に構成される。
【０１６４】
２）キャリアアグリゲーションのないＣｏＭＰ−このような規則は、各々が異なるＣＳＩ構成に対応し、全て単一サービングセルに存在する複数の報告が存在する場合、衝突を解決するために定義される。
【０１６５】
ＣＡ＋ＣｏＭＰタイプ衝突を考慮する上記衝突解決規則は、サブ規則としてこれらを再度明確に再使用することができる。ＣｏＭＰが導入されたことがなかったために規則の集合がリリース１０ＬＴＥで、１）に対して既に存在している。私達がＣｏＭＰのないＣＡを解決するための規則を参照する場合、私達は、これら又は上記衝突場合に対して、将来のリリースで定義され得る拡張を参照し、一部例題拡張が実施形態１、２及び３で考慮される。類似に、私達がＣＡのないＣｏＭＰを解決するための規則を参照する場合、私達は、上記のような場合に適用される将来のリリースで適用される新しい規則を参照する。一部例題拡張が実施形態１、２及び３で考慮される。
【０１６６】
１．ＣＡ優先順位化
一実施形態で、単一ＣＳＩ構成の上記ＣＳＩ報告は、第１の段階で各セルから選択される。上記単一構成の選択は、上述したような単一セルでの複数のＣＳＩ構成に対するドロップ規則（ＣＡのないＣｏＭＰ）のうちの一つを使用して実行される。第２の段階で、上記セルの各々から選択されたＣＳＩ報告がＣｏＭＰのないキャリアアグリゲーションに対して使用される規則によってドロップ又は多重化される。
【０１６７】
他の実施形態で、各セルからの上記ＣＳＩ構成のＣＳＩ報告は、ＰＵＣＣＨフォーマット２ａあるいは２ｂに適合するように圧縮される。第２の段階で、上記セルの各々からの上記選択されたＣＳＩ報告は、ＣｏＭＰのないキャリアアグリゲーションに対して使用される規則によってドロップ又は多重化される。
【０１６８】
他の実施形態で、各セルから上記ＣＳＩ構成のＣＳＩ報告は、ＰＵＣＣＨフォーマット２ａあるいは２ｂに適合するように圧縮される（あるいは各セルからのＣＳＩ報告に含まれているＣＳＩビットの個数が１１以下となるように）。第２の段階で、上記セルの各々からの上記選択されたＣＳＩ報告は、ドロップ又は多重化され、したがって、上記ＣＡ＋ＣｏＭＰに対する最終結果ＣＳＩは、ＰＵＣＣＨフォーマット３で適合するように２２ビット以下を有する。
【０１６９】
他の実施形態で、各セルから上記ＣＳＩ構成のＣＳＩ報告は、ＰＵＣＣＨフォーマット３に適合するように多重化される。第２の段階で、上記セルの各々からの上記選択されたＣＳＩ報告は、ＣｏＭＰのないキャリアアグリゲーションのために使用される規則によってドロップ又は多重化される。
【０１７０】
他の実施形態で、各セルから上記ＣＳＩ構成のＣＳＩ報告は、ＰＵＳＣＨ構成に適合するように多重化される。第２の段階で、上記セルの各々からの上記選択されたＣＳＩ報告は、ＣｏＭＰのないキャリアアグリゲーションのために使用される規則によってドロップ又は多重化される。
【０１７１】
２．ＣｏＭＰ優先順位化
一実施形態で、単一セルが第１の段階で上記セルインデックスに基づいて優先順位化され選択される。第２の段階で、単一セルの上記複数個のＣＳＩ報告の衝突処理は、ＣｏＭＰのないキャリアアグリゲーションの衝突処理に対する規則等と類似の規則を適用して遂行される。
【０１７２】
３．ＵＥ動作
一実施形態で、上記ＵＥ動作は、上記衝突が発生する場合に依然として特定されないことがある。-すなわち、ＵＥ実現が残っている状態である。
【０１７３】
他の実施形態で、上記衝突の場合に、デフォルト（default）ＵＥ動作が特定されている。上記デフォルト動作は、最も低いセルインデックスと最も低いＣＳＩ構成インデックス（又は最も低いＣＳＩ−ＲＳ又はＩＭＲインデックス）に該当するＣＳＩ報告をフィードバックすることになることができる。他のデフォルト動作は、いずれも報告しないことである。
【０１７４】
４．ＰＵＳＣＨ
一実施形態で、上記衝突の場合に、上記報告の全てを含むＰＵＳＣＨ報告は、上記ＵＥにより送信される。このような動作は、上記ネットワークにより構成可能であり得る。
【０１７５】
５．異なるフォーマット
他の接近方式で、ＵＥがキャリアアグリゲーション（すなわち、複数のセル／キャリア）で構成されることを考慮する。一実施形態で、このような規則は、衝突処理のために定義される。
【０１７６】
・複数のＣＳＩ報告の衝突の場合、上記衝突報告の全てが単一セルからである場合、ＰＵＣＣＨフォーマット３は、上記単一セルの複数個のＣＳＩ報告を多重化するために使用される。上記ペイロードがフォーマット３の容量を超過するかあるいは報告の個数が特定数字（一例で、２）より大きい場合、一部報告が上述されたようなドロップ規則によってドロップされることがある。
・複数のセルに対応する複数のＣＳＩ報告の衝突の場合で、少なくとも一つのセルに対して複数のＣＳＩ構成に対応する２個以上のＣＳＩ−ＲＳ報告を使用すると（ＣＡ＋ＣｏＭＰ場合）、第１の段階で、各セルに対応する上記一つ又はそれ以上の報告は、ＰＵＣＣＨフォーマット２ａ／２ｂ報告サイズに対して圧縮されるか、多重化されるか、ダウン選択（down-select）される。そうしてから、第２の段階で、ＣｏＭＰのないキャリアアグリゲーションに対応する上記ドロップ／多重化規則が使用される。
【０１７７】
ＵＥがキャリアアグリゲーション（すなわち、複数のセル／キャリア）で構成されるイベントで、他の実施形態で、この規則は、衝突処理のために定義される。
・複数のＣＳＩ報告の衝突の場合、上記衝突報告の全ては単一セルからであり、ＰＵＳＣＨが上記基本セルの複数のＣＳＩ報告を多重化するために使用される。
・他の報告は、完全にドロップされるか、あるいはダウン選択されて／多重化されＰＵＣＣＨ２ａ／２ｂあるいは３で送信され得る。
【０１７８】
６．基本セルＣＳＩ報告
一実施形態で、上記衝突処理は、上記衝突で上記基本セルＣＳＩ報告によって異なることができる。
【０１７９】
一実施形態で、上記基本セルが単一ＣＳＩ報告を有する場合、キャリアアグリゲーションはＣｏＭＰを通じて優先順位化され、上述したようなＣｏＭＰを通じてＣＡを優先順位化する該当実施形態のうちの一つが使用される。基本セルが一つ以上のＣＳＩ報告を有する場合、上記ＣｏＭＰは、キャリアアグリゲーションを通じて優先順位化され、上述したようなＣＡを通じてＣｏＭＰを優先順位化する該当実施形態のうちの一つが使用される。基本セル報告が存在しない場合、デフォルト規則が使用されることができ、一例で他の全ての報告をドロップするかあるいはいずれも報告しない単一ＣＳＩ報告が選択され得る。
【０１８０】
７．報告タイプに基づく
他の実施形態で、上記三個あるいはそれ以上のＣＳＩ報告は、まず上記報告のタイプに基づいて一つ又はそれ以上のＣＳＩ報告でダウン選択される。第２の段階で、
・単一報告のみが残っている場合、上記報告は送信される。
・２個の報告が残っている場合、上記ＣＡのない衝突処理規則又は上記ＣｏＭＰのないＣＡ処理規則が適用される。
・二つ以上の報告が残っている場合、上記動作は、特定されていないかあるいは上述したような一つ又はそれ以上の衝突処理規則が使用されるか、あるいはタイプ（上記残りのＣＳＩ報告の）基盤動作が特定される。デフォルト動作は、いずれもフィードバックしないか、あるいは他の報告をドロップする単一報告をフィードバックするかあるいは他の報告をドロップする最も低いセルインデックス及び最も低いＣＳＩ構成インデックスのＣＳＩ報告をフィードバックすることであり得る。
【０１８１】
〔実施形態５〕：
一実施形態で、第１のＲＲＣ構成は、ＣｏＭＰのないＣＡの場合、複数のセルに対応するＣＳＩ報告が衝突するが、セル別に単一ＣＳＩ報告のみを有する場合に適用される上記衝突解決動作を定義するために使用される。第２のＲＲＣ構成は、ＣＡ衝突のないＣｏＭＰの場合、すなわち単一セルの複数個のＣＳＩ構成に対応するＣＳＩ報告の場合の上記衝突解決動作を定義するために使用される。第３のＲＲＣ構成は、ＣｏＭＰ及びＣＡ衝突の上記衝突解決動作のために使用される。ＲＲＣ構成は、一例で、ドロップあるいは多重化あるいは圧縮方式が使用されるか否かを表すことができる一つ又はそれ以上の構成可能パラメータ（configurable parameter）である。他の例として、上記構成可能パラメータは、異なる動作の間のスイッチングのために使用され得る臨界値を含むことができる。上記臨界値は、一例で、ｉ）衝突報告の個数、ｉｉ）衝突報告の各々に含まれているビットの個数、ｉｉｉ）上記衝突報告に含まれているビットの全体個数であり得る。もう一つの例として、上記構成可能パラメータは、特定アップリンクフォーマットが使用されるか否かを表すことができ、上記特定アップリンクフォーマットは、ｉ）ＰＵＣＣＨフォーマット２／２ａ／２ｂ、ｉｉ）ＰＵＣＣＨフォーマット３、及び／またはｉｉｉ）ＰＵＳＣＨを含み得る。
【０１８２】
上記のような実施形態で、一方法で、ＵＥは、上記第１及び第２のＲＲＣ構成に基づいて、ＣｏＭＰ及びＣＡ衝突、すなわち少なくとも一つのセルに対する複数のＣＳＩ構成に対応する一つ又はそれ以上のＣＳＩ報告を有する、複数のセルに対応する複数のＣＳＩ報告の衝突の場合に対する衝突規則を導出する。
【０１８３】
他の方法で、ＵＥは、上記第１のＲＲＣ構成のみに基づいて上記ＣｏＭＰ及びＣＡ衝突に対する上記衝突規則を導出する。
【０１８４】
一例で、上記ＣｏＭＰのないＣＡの場合に対する上記第１のＲＲＣ構成パラメータは、Ｒｅｌ−１０標準でのようなドロップ方式あるいは多重化／圧縮方式（一部例は実施形態１、２、及び３で検索可能）のうちの一つが必ず適用されるということを指示する。上記ＣｏＭＰ及びＣＡの衝突を解決するために、上記ＵＥ動作は、上記第１のＲＲＣ構成パラメータが上記ドロップ又は上記多重化／圧縮方式を指示するか否か基づいて変更される。
【０１８５】
ドロップが構成される場合、上記ＵＥは、上記予め定義されている方法によって上記構成されたセルの各々で上記ＣｏＭＰ ＣＳＩ報告を圧縮／多重化／ドロップした後に一つのセルのＣＳＩ報告のみを送信する（一部例が実施形態１、２、及び３で検索可能）、ここで、上記１個のセルのみのＣＳＩ報告は、一例でＰＵＣＣＨフォーマット２／２ａ／２ｂで伝えられる。ここで、上記複数のセルのＣＳＩ報告以外の一個のセルのみのＣＳＩ報告を送信する上記ＵＥ動作は、一例で、複数のセルに対する複数のＣＳＩ報告がサブフレームで衝突する場合、実施形態１の方法あるいはＲｅｌ−１０ＵＥ動作によって定義され得る。
【０１８６】
上記多重化／圧縮が構成される場合、上記ＵＥは、予め定義されている方法によって（一部例題が実施形態１、２、及び３で検索可能）上記構成されるセルの各々で上記ＣｏＭＰ ＣＳＩ報告を圧縮／多重化／ドロップした後に予め定義されている方法（一部例題が実施形態２及び３で検索可能）によってＰＵＣＣＨフォーマット３あるいはＰＵＳＣＨで伝えられる複数のセルのＣＳＩ報告を圧縮／多重化する。
【０１８７】
他の方法で、ＵＥは、第３のＲＲＣ構成のみに基づいてＣｏＭＰ及びＣＡ衝突の場合に対する衝突規則を導出する。
【０１８８】
もう一つの方法で、ＵＥは、ＣｏＭＰ及びＣＡ衝突に対する衝突規則を導出する場合、一つ又はそれ以上の上記第１、第２及び第３のＲＲＣ構成を使用することができる。
【０１８９】
〔オプション２：複数の周期的報告のジョイント構成〕
〔実施形態６〕
ある接近方式下で、ＣＳＩ−ＲＳリソース間のフィードバック（inter−ＣＳＩ−ＲＳ resource feedback）を伝達する一部報告が存在する場合、単一ＰＵＣＣＨフィードバックモードの集合が望ましい。上記ＣＳＩ−ＲＳリソース間のフィードバックの一部例題は、次の通りである。
【０１９０】
１．単一ＲＩフィードバック：
上記ネットワークは、フィードバックが要求される二つ又はそれ以上のＣＳＩ−ＲＳリソースに対して単一ＲＩ報告を要求することができる。上記のようなランクの調整は、上記ネットワークがＣＳＩ−ＲＳ別リソースフィードバックに基づいてジョイント送信を遂行することを可能にする。
２．アグリゲートＣＱＩフィードバック：
アグリゲートＣＱＩは、一つ又はそれ以上の送信ポイントからのジョイント送信を仮定するＣＱＩである。
３．アグリゲートＰＭＩ：
アグリゲートＰＭＩは、一つ又はそれ以上の送信ポイントからのジョイント送信を仮定するＰＭＩである。
４．ＴＰ間位相フィードバック（Inter-TP phase feedback）
ジョイント送信のための二つのＣＳＩ−ＲＳリソースの間の位相調整に対応する位相フィードバック
一方法で、新たなフィードバックモードは、二つ又はそれ以上のＣＳＩ−ＲＳリソースジョイントフィードバック構成のために定義され得る。
【０１９１】
【表１２】
0006324954.tif 000050
【０１９２】
図３に示されている一方法で、複数のＣＳＩ−ＲＳリソースに対応する報告は、示されたように時間で多重化される。示されている例題で、ジョイントランクインジケータ（ＲＩ）は、サブフレーム内で第１報告インスタンスで報告され、第１のＣＳＩ−ＲＳに対する広域（ＷＢ）プリコーディングマトリックスインジケータ（ＰＭＩ）／チャンネル品質情報（ＣＱＩ）は、サブフレーム内の次の報告インスタンスで報告され、第２のＣＳＩ−ＲＳに対するＷＢ ＰＭＩ／差動ＣＱＩ（differential ＣＱＩ）（以前に報告されたＣＱＩに関する）は、上記報告が周期的に反復された後の上記サブフレームの第３の報告インスタンスで報告される。一方法で、上記独立的な報告は、簡単に多重化される-すなわち、独立的な報告タイプ（一例で、各ＣＳＩ−ＲＳリソースと関連される広域ＣＱＩ）が全てのＣＳＩ−ＲＳリソースにかけて単一集合の周期性／オフセットパラメータで構成される。アグリゲートＣＱＩのような新たな報告タイプは、対応するように定義されているタイミングパラメータ（ＮｄａｇｇｒｅｇａｔｅＣＱＩ、ＮｏｆｆｓｅｔａｇｇｒｅｇａｔｅＣＱＩ）で送信される。
【０１９３】
図４に示されている他の方法で、複数のＣＳＩ−ＲＳリソースに対する報告は、広域／サブバンドＣＱＩ、広域／サブバンドＰＭＩのような特定報告タイプに対して共に構成され得る。また、上記ＣＱＩは差分符号化でジョイント符号化され得る（上記アグリゲートで）。上記のような場合で、ＰＵＣＣＨフォーマット３は、上記のような新たな報告タイプの送信のために使用される。アグリゲートＣＱＩのような上記ＣＳＩ−ＲＳリソース間のＣＱＩは、それ自身の固有タイミングパラメータ（ＮｄａｇｇｒｅｇａｔｅＣＱＩ、ＮｏｆｆｓｅｔａｇｇｒｅｇａｔｅＣＱＩ）を有して別途に構成される。
【０１９４】
一方法で、上記一つ又はそれ以上の報告タイプは、アグリゲートＣＱＩを含み／あるいはＴＰ間の位相は、単一モード内で構成可能であり得る。上記のような構成は、上記モードに対するサブモードパラメータとしてＲＲＣ構成により指示され得る。
【０１９５】
〔オプション３：ＵＥ自律ＴＰスイッチングで構成される単一周期的ＰＵＣＣＨ〕
〔実施形態７〕：
この場合、上記ＵＥは、単一ＣＳＩ−ＲＳリソースのみに対応するＣＳＩを送信する。どのＣＳＩが送信されるかに対する選択は、性能（例えば、ＣＱＩあるいは基準信号受信電力（reference signal receive power：ＲＳＲＰ））に基づいて上記ＵＥにより遂行され得る。上記ＵＥは、個別ＣＳＩ−ＲＳリソースのＣＳＩを測定し、最高のＣＱＩあるいはＲＳＲＰに基づいて上記報告タイプ間にスイッチされる。ＣＳＩ−ＲＳリソースインジケータ（ＣＲＩ）は、図５Ａに示したように、スイッチングを指示するために別途に送信される。
【０１９６】
一方法で、ＲＩ及びＣＲＩは、図５Ｂに示したようにジョイント符号化される。
【０１９７】
〔実施形態８〕：
リリース１０で、下記のようなＵＥ−選択されたサブバンドモードは、周期的ＣＳＩ報告のためにサポートされる。より具体的な事項は、３６.２１３で有用であり、しかしながら上記フィードバックの上位レベルコンポーネントは上記表に要約されているようである。
【０１９８】
【表１３】
0006324954.tif 000051
【０１９９】
また、上記ＵＥ選択サブバンドフィードバックモードの一部側面は、下記のように説明される。ＵＥ選択フィードバックモードは、上記フィードバックオーバーヘッドを十分に低く維持する間に周波数選択性をサポートするように設計される。複数のＣＳＩに対して上記選択されたサブバンドがオーバーラップされない場合、これは、上記ＵＥで送信方式の柔軟性を制限する。一例で、二つのセル間に上記ＣｏＭＰに対してＤＰＳ／ＤＢあるいはＪＴ送信を許可できる４個の異なるＣｏＭＰ送信仮設が図６に示されている。これらは、フィードバックに対する複数のＣＳＩ構成として構成され得る。上記干渉の周波数選択性をまた考慮する、この例題で、上記選択されたサブバンドは、各仮設／ＣＳＩ−構成に対して異なることができる。したがって、この場合、上記ＣｏＭＰスケジューラは、スケジューラ最適化及びＣＱＩ予測を複雑にする異なる仮設に対して異なる帯域で異なるＵＥ報告に対するアクセスを有する。
【０２００】
一実施形態で、新たなＰＵＣＣＨフィードバックモード２−ｘが定義され、上記ＰＵＣＣＨフィードバックモード２−ｘは、同時に複数のＣＳＩに対応する個別報告タイプの同時送信を可能にする。このような新たなモードに対して、上記ＵＥは、上記報告されたＣｏＭＰ仮設に対して同一のサブバンドを選択することが要求される。すなわち、上記ＵＥは、二つ又はそれ以上のＣＳＩ構成に対応する単一サブバンドインデックスを報告する。上記新たなモードの上位階層構成の一部として、上記ネットワークは、二つ又はそれ以上のＣＳＩ構成（また、ＣＳＩプロセスと称される）を構成し、ここで、各ＣＳＩ構成は、異なる（ＣＳＩ−ＲＳ、干渉測定リソース／ＩＭＲ）ペアに対応する。
【０２０１】
他の実施形態で、上述したような動作は、各モードに対するタイミングパラメータの同じ集合を構成することによって黙示的に獲得することができる。一方法で、二つの周期的ＣＳＩプロセスの一つ又はそれ以上の報告の一つ又はそれ以上のパラメータがオーバーラップされる場合（パラメータ基準（parameter criterion））、上記ＵＥは、このような報告されたＣｏＭＰ仮設に対して同一のサブバンド（ら）を選択することが要求される。上記一つ又はそれ以上のパラメータは、上記異なる報告タイプの上記周期性及びオフセットのようなＣＳＩプロセスのタイミングパラメータであり得るか、あるいは、上記パラメータは、一つ又はそれ以上の上記ＣＳＩ−ＲＳインデックス、ＩＭＲインデックス、及び他の干渉測定パラメータであり得る。より一般的に、上記パラメータ基準は、異なるＣＳＩプロセスのパラメータ間の一部関係により特定化され得る。一例として、一つの基準は、これらが同一のＣＳＩ−ＲＳインデックスを有するが、異なるＩＭＲインデックスなどを有する場合に使用され得る。
【０２０２】
また、別途の上位階層パラメータがサブバンドの調整が上記パラメータ基準を満足する場合、必ず遂行されなければならないか否かを指示することができる。上記パラメータの一つのステートは、上記ＵＥが上記パラメータ基準を満足させる二つ又はそれ以上のＣＳＩプロセスに対する共通単一サブバンドインデックス（common single subband index）を報告すると指示し、上記パラメータの残りのステートは、異なるサブバンドインデックスが上記二つ又はそれ以上のＣＳＩプロセスの各々に対して報告されなければならないことを指示する。
【０２０３】
他の実施形態で、上位階層構成（ＲＲＣ構成）は、上記複数の周期的ＣＳＩプロセス間のリンク化を指示することができる。一例で、ＣＳＩプロセスリストは、次の擬似コードにより反映されるように構成されることができ、上記ＣＳＩプロセスリストは、各個別ＣＳＩプロセス（ＣｏＭＰ仮設）に対応する複数のパラメータをキャプチャーする。
【０２０４】
CSI process config list {
CSI process config x{
CSI process id
XCSIRS (virtual cell id for CSI-RS)
Non-zero power CSI-RS resource config
IMR config
Timing config
…
}
}
【０２０５】
上位階層構成は、サブバンド報告を報告するように構成される二つ又はそれ以上のプロセスのリンク化を指示することができる。上記ＵＥが上記のようなシグナリングを受信する場合、上記ＵＥは、各帯域幅パートで同一のサブバンド（ら）を選択することが要求される。
【０２０６】
しかし、一部状況で、上記タイミングパラメータは、非常に異なることがある。したがって、同一のサブバンドを選択する追加的な定義が必ず定義されなければならない。
【０２０７】
ＵＥ動作の追加的な定義が上記共通サブバンドインデックスがどのように選択されなければならないかに対して定義されなければならない。リリース１０で、サブバンドインデックスは、単一ＣＳＩプロセスが構成される場合、上記ＣＱＩを最大化させるように選択される。一実施形態で、上記ＵＥは、共通サブバンド報告のために構成される上記二つ又はそれ以上のＣＳＩプロセスの一つ又はそれ以上のＣＱＩに基づいて上記共通サブバンドインデックスを選択しなければならない。一方法で、上記共通サブバンドインデックスは、二つ又はそれ以上のＣＳＩプロセスの全体ＣＱＩ和を基にする。一方法で、上記共通サブバンドインデックスは、上記最大ＣＱＩ（一例で、最大広域ＣＱＩ）を有するＣＳＩプロセスに基づく。
【０２０８】
一方法で、上記共通サブバンドインデックスは、上記基準ＣＳＩプロセスに基づく。上記基準ＣＳＩプロセスは、上記二つ又はそれ以上のＣＳＩプロセスと関連される一つ又はそれ以上のパラメータに基づいて決定されることができる。一方法で、上記共通サブバンドインデックスは、最も低いインデックスを有する上記ＣＳＩプロセスに基づく。一方法で、上記共通サブバンドインデックスは、より低い（あるいはより高い）周期性を有するＣＳＩプロセスに基づく。一方法で、上記基準ＣＳＩプロセスは、上記ネットワークにより上位階層シグナリングで構成される。例えば、ネットワークは、上記基準プロセスとしてＣＳＩプロセス１を構成する。この場合、上記サブバンド選択は、ＣＳＩプロセス１及び他のサブバンドでの上記サブバンド選択に基づけなければならなく、各ＣＳＩプロセスのフィードバックパラメータのうち残りは、必ずこの選択で調整されなければならない。
【０２０９】
〔基準ＣＱＩリソース及び干渉測定の指示〕
上記現在のＬＴＥスタンダード規格は、ＵＥのフィードバックに対応するリソースであるＣＳＩ基準リソースを定義する。上記ＵＥ実現は、“類似の（similar）”サブフレームを通じた平均化から不可能にはならない。リリース１０で干渉測定は、毎サブフレームで有用なＣＲＳを基にする。これによって、干渉測定に対するいずれの基準も上記ＣＳＩ基準リソース定義で生成されない。
【０２１０】
ＴＳ３６.２１３から、上記ＣＳＩ基準リソースは、下記のように定義される。
・上記周波数ドメインで、上記ＣＳＩ基準リソースは、上記導出されたＣＱＩ値が関連する帯域に対応するダウンリンク物理リソースブロックのグループにより定義される。
・上記時間ドメインで、上記ＣＳＩ基準リソースは、単一ダウンリンクサブフレームｎ−ｎＣＱＩ＿ｒｅｆにより定義され、
・ここで、周期的ＣＳＩ報告に対して、ｎＣＱＩ＿ｒｅｆは４より大きいか同一である最も小さな値であり、したがって有効なダウンリンクサブフレームに対応する。
・ここで、非周期的ＣＳＩ報告に対して、ｎＣＱＩ＿ｒｅｆは、上記基準リソースがアップリンクＤＣＩフォーマットで上記該当するＣＳＩ要求として同一の有効ダウンリンクサブフレームに存在するようにし；
・ここで、非周期的ＣＳＩ報告に対して、ｎＣＱＩ＿ｒｅｆは４と同一であり、ダウンリンクサブフレームｎ−ｎＣＱＩ＿ｒｅｆは有効なダウンリンクサブフレームに対応し、ここでダウンリンクサブフレームｎ−ｎＣＱＩ＿ｒｅｆは、ランダムアクセス応答グラントで上記該当するＣＳＩ要求を有するサブフレームの次で受信される。
サービングセルでダウンリンクサブフレームは、次のような場合に有効であると考慮され得る。
・上記ダウンリンクサブフレームが上記ＵＥに対するダウンリンクサブフレームとして構成される、
・送信モード９を除いて、上記ダウンリンクサブフレームがＭＢＳＦＮサブフレームでない、
・ダウンリンクパイロット時間スロット（ＤｗＰＴＳ）の長さが
【数３７】
0006324954.tif 000052
と同一であるか小さな場合、上記ダウンリンクサブフレームは、ＤｗＰＴＳフィールドを含まない。
・上記ダウンリンクサブフレームは、上記ＵＥに対して構成された測定ギャップ内に存在しない、
・周期的ＣＳＩ報告に対して、上記ダウンリンクサブフレームは、上記ＵＥがＣＳＩサブフレーム集合で構成される場合、上記周期的ＣＳＩ報告にリンクされる上記ＣＳＩサブフレーム集合のエレメントである。
サービングセルで上記ＣＳＩ基準リソースに対して有効なダウンリンクサブフレームが存在しない場合、ＣＳＩ報告は、アップリンクサブフレームｎで上記サービングセルに対して省略される。
・上記階層ドメインで、上記ＣＳＩ基準リソースは、上記ＣＱＩが条件となっている任意のＲＩ及びＰＭＩにより定義される。
【０２１１】
〔周期的ＣＳＩ構成のためのＩＭＲリソースの明示的指示と一緒に〕
上記ＩＭＲリソースインデックス（又はインデックス）及びＣＳＩ−ＲＳリソースインデックス（又はインデックス）は、各ＰＵＣＣＨフィードバックモード構成に関連され、一つ又はそれ以上の周期的ＣＳＩ構成のＲＲＣ構成で明示的に指示される。
【０２１２】
【表１４】
0006324954.tif 000053
【０２１３】
上記ＣＳＩ基準リソース定義は、周期的ＣＳＩ報告に対してＩＭＲリソースを含めるために修正され得る。
【０２１４】
一方法で、上記基本原則は、ＬＴＥ規格の以前リリース（すなわち、Ｒｅｌ−８、９、１０）から変更されず、上記基準サブフレームは、上記干渉測定を参照せずに以前と同一に定義される。干渉は、構成されたＩＭＲリソース（ら）を有する上記サブフレームでの測定に基づけなければならない。上記基準サブフレームが対応するＩＭＲリソース（ら）を含まない場合、ＵＥが干渉の補間（interpolation）／補外（extrapolation）を遂行するということが仮定される。
【０２１５】
しかし、向上したセル間干渉協調（enhanced Inter-Cell Interference Coordination：ｅＩＣＩＣ）と共に、２個のサブフレームサブ集合が使用される。上記干渉測定は、上記ＣＳＩ要求（すなわち、上記ＣＳＩ要求は、上記ＵＥがＣＳＩサブフレーム集合で構成される場合、上記周期的ＣＳＩ報告にリンクされているＣＳＩサブフレーム集合のエレメントである）に対して構成される上記対応するサブフレームサブ集合でなされることができる。
【０２１６】
一方法で、ＩＭＲリソース構成と共に、上記基準サブフレームは、上記ＩＭＲリソース及び上記ＣＳＩサブフレームサブ集合を基にする。これは、図７に示したような有効なダウンリンクサブフレームの定義を修正することによって達成されることができる。
【０２１７】
上記時間ドメインで、上記ＣＳＩ基準リソースは、単一ダウンリンクサブフレームｎ−ｎＣＱＩ＿ｒｅｆにより定義される、
・ここで、周期的ＣＳＩ報告に対して、ｎＣＱＩ＿ｒｅｆは４より大きいか同一である最も小さな値であり、したがって上記ｎＣＱＩ＿ｒｅｆは有効なダウンリンクサブフレームに対応する。
サービングセルでダウンリンクサブフレームは、次のような場合、有効であると考慮される。
・上記ダウンリンクサブフレームが上記ＵＥに対するダウンリンクサブフレームとして構成される、
・送信モード９を除いて、上記ダウンリンクサブフレームは、ＭＢＳＦＮサブフレームでない、
・上記ダウンリンクサブフレームは、ＤｗＰＴＳの長さが
【数３８】
0006324954.tif 000054
と同一であるか小さな場合、ＤｗＰＴＳフィールドを含まない、
・上記ダウンリンクサブフレームは、上記ＵＥに対して構成された測定ギャップ内に存在しない、
・周期的ＣＳＩ報告に対して、上記ダウンリンクサブフレームは、上記ＵＥがＣＳＩサブフレーム集合で構成される場合、上記周期的ＣＳＩ報告にリンクされる上記ＣＳＩサブフレーム集合のエレメントであり、（新たな基準）上記ＵＥが干渉測定リソースで構成される場合、上記周期的ＣＳＩ報告にリンクされる上記干渉測定リソースのサブフレーム集合のエレメントである。
【０２１８】
〔非周期的フィードバックモード〕
ＰＵＳＣＨベースの非周期的フィードバックモードと共に、上位アップリンク制御情報（ＵＣＩ）オーバーヘッドは、ＰＵＣＣＨベースの周期的フィードバックモードよりもサポートでき、上記ＰＵＣＣＨベースの周期的フィードバックモードの容量は、フォーマット３（２２ビット）によりサポートされることにより制限される。これは、ＣｏＭＰで複数のＣＳＩ−ＲＳリソースに対応するＵＣＩの送信に適している。
【０２１９】
上記非周期的フィードバックモードの要約が下記の３６.２１３からキャプチャーされる。
【０２２０】
ＵＥは、上位階層によってセミ固定的に構成されてＴａｂｌｅ７.２.１−１に与えられている次のようなＣＳＩ報告モード中の一つを使用して同じＰＵＳＣＨでＣＱＩ及びＰＭＩ及び該当するＲＩをフィードバックし、下記のように説明される。
【０２２１】
【表１５】
0006324954.tif 000055
【０２２２】
表１５−Ｔａｂｌｅ７.２.１−１に該当する。ＰＵＳＣＨ ＣＳＩ報告モードに対するＣＱＩ及びＰＭＩフィードバックタイプ［３６.２１３から］
【０２２３】
ＣＳＩ−ＲＳ間リソースフィードバックがサポートされない場合、いずれの新たなモードも非周期的ＣＳＩに対して定義される必要がない。
【０２２４】
上記現在の規格（下記に要約されているように、３６.２１３のＳｅｃｔｉｏｎ７.２.１で）で、ＤＣＩフォーマット０（あるいは４）は、“ＣＳＩ要求フィールド”をサポートし、下記表に示したように“ＣＳＩ要求フィールド”は、非周期的ＣＳＩがターンオンされるか否かをを指示し、どのセル（キャリア）でＣＳＩが報告されるかを表す。
【０２２５】
【数３９】
0006324954.tif 000056
【０２２６】
ＵＥは、与えられたサブフレームに対して一つ以上の非周期的ＣＳＩ報告要求を受信することが期待されない。
【０２２７】
【表１６】
0006324954.tif 000057
【０２２８】
表１６−Ｔａｂｌｅ７.２.１−１Ａに対応する。ＵＥ特定検索空間でアップリンクＤＣＩフォーマットを有するＰＤＣＣＨに対するＣＳＩ要求フィールド［３６.２１３から］
上記のようなＣＳＩ要求フィールドは、ＣＡＣＳＩ要求フィールドと称される。
【０２２９】
類似に、ＣＳＩ要求は、ＣｏＭＰに対する上記ＣＳＩ−ＲＳリソースの集合を指示するために必要となり得る。一方法で、独立的なＣＳＩ要求フィールドは、ＣｏＭＰに対して定義され、ＣｏＭＰ ＣＳＩ要求フィールドと称される。
【０２３０】
【表１７】
0006324954.tif 000058
【０２３１】
一方法で、上記ＵＥは、上記ＵＥがＣＡ（複数のセルを有する）に対して構成されるかあるいはＣｏＭＰ（複数のＣＳＩリソース）で構成されるかに基づいて解釈される上記のようなＣＳＩ要求フィールド（ＣＡあるいはＣｏＭＰ）を導出する。
【０２３２】
ＵＥは、同時ＣＡ＋ＣｏＭＰ（少なくとも一つのセルで複数のセル及び複数のＣＳＩ−ＲＳリソース）で構成されることができる。一方法で、独立的なＣＳＩ要求フィールドらは、上述したような表でのようなＣｏＭＰ及びＣＡに対して定義されており、追加的な信号ビットが上記ＣＳＩ要求フィールドがＣＡあるいはＣｏＭＰに適用されるか否かをシグナルするために使用される。一方法で、これは、これは下記に示したようなＣＳＩタイプフィールドで指示されることができる。
【０２３３】
【表１８】
0006324954.tif 000059
【０２３４】
一方法で、上記ＤＣＩフォーマットで上記追加的なＣＳＩタイプフィールドは、上記ＵＥがＣＡ及びＣｏＭＰ（少なくとも一つセルで複数のセル及び複数のＣＳＩリソースを有する）に対して構成される場合のみに有効である。
【０２３５】
一方法で、上記タイプは、黙示的に指示され得る。
【０２３６】
他の一方法で、ジョイント符号化ＣＳＩ要求フィールドが使用され得る。２−ビット符号化を使用する例題は、下記のように表す。この場合、ＣｏＭＰは、上記サービングセル
【数４０】
0006324954.tif 000060
のみでサポートされる。
【０２３７】
【表１９】
0006324954.tif 000061
【０２３８】
一実施形態で、ＣＳＩ要求フィールドが“１１”の場合にトリガーされるセル別に上記単一ＣＳＩ−ＲＳリソースは、予め定義されるか（一例で、ＣＳＩ構成インデックス１）あるいはセル別に上位階層により構成される。
【０２３９】
全体的に、上記キャリア選択及びＣｏＭＰシナリオの選択は、有用な帯域と、異なる帯域上でＣｏＭＰ容量及び他の配置考慮事項を非常に考慮する。したがって、最大ネットワーク柔軟性が望ましい。上記のような場合で、上記ネットワークが動的スイッチングに対してサポートする構成がどの構成であるかを決定することを許可することがより一層望ましい。
【０２４０】
このような目的に対して、ＣｏＭＰ＋ＣＡ構成は、上記ペア（サービングセル／キャリアインデックス、ＣＳＩ構成インデックス）を参照することによって定義される。上記ＬＴＥ規格は、上記パラメータＳｅｒｖＣｅｌｌＩｎｄｅｘを有する上記セルインデックスを参照することに留意すべきである。
【０２４１】
このような定義と共に、次のような新たなＣＳＩ要求フィールドをデザインすることができる。
【０２４２】
【表２０】
0006324954.tif 000062
【０２４３】
【表２１】
0006324954.tif 000063
【０２４４】
一例として、ＵＥが二つのサービングセル及び二つのＣＳＩ構成で構成される場合、サービングセル及びＣＳＩ構成ペアの第１の集合は、｛（サービングセル１、ＣＳＩ構成１）、（サービングセル２、ＣＳＩ構成１）｝であり得、サービングセルとＣＳＩ構成ペアの第２の集合は、｛（サービングセル１、ＣＳＩ構成１）、（サービングセル１、ＣＳＩ構成２）｝であり得、サービングセルとＣＳＩ構成ペアの第３の集合は、｛（サービングセル１、ＣＳＩ構成１）、（サービングセル１、ＣＳＩ構成２）、（サービングセル２、ＣＳＩ構成１）｝であり得る。これは、キャリアアグリゲーションあるいはＣｏＭＰあるいはキャリアアグリゲーション及びＣｏＭＰの両方を遂行するために上記ネットワークがフィードバック報告の複数のタイプをセミ固定的に構成し、動的にフィードバックを検出することを許可するだろう。
【０２４５】
他の実施形態で、上記ＣＳＩ要求フィールドは、サービングセル及びＣＳＩ構成ペアの３個以上の異なる集合を使用して３個以上のビットで拡張される。
【０２４６】
Ｔａｂｌｅ７.２.１−１Ａ［３６.２１３］でのような同じ集合のフィードバックモードは、再使用されることができ、一つ以上のＣＳＩ−ＲＳリソースが構成される場合、上記ＵＥは、各ＣＳＩ−ＲＳリソースで構成されるモードに対応するように上記ＣＳＩ−ＲＳ別フィードバックをアグリゲートする。一例で、モード１−２がＣＳＩ−ＲＳリソース１で構成され、モード２−２がＣＳＩ−ＲＳリソース２で構成される場合、上記ＵＥは、該当するＣＳＩをアグリゲートする。
【０２４７】
他の方法で、一部ＣＳＩ−ＲＳ間フィードバックは、サポートされ得る。ＣＳＩ−ＲＳ間のフィードバックの例は、１）調整されたＲＩフィードバック、２）アグリゲートＣＱＩフィードバック、３）アグリゲートＰＭＩ、４）ＴＰ間位相フィードバックを含む。
【０２４８】
一方法で、上記新たな非周期的モードの定義は、一つ又はそれ以上のＣＳＩ−ＲＳ間ソースフィードバックがサポートされる場合、二つのＣＳＩ−ＲＳリソースで下記のようにキャプチャーされる。下記に示したような一つ又はそれ以上の新たなモードは、ＣｏＭＰに対して定義され得る。
【０２４９】
【表２２】
0006324954.tif 000064
【０２５０】
ＣＳＩ−ＲＳリソース間フィードバックをサポートする上記個別モード定義及び方法は、また下記のように要約される。上記ＣＳＩ構成は、上述したように定義され、ＣＳＩ−ＲＳリソースと相互交換的に使用され得る（上記ＣＳＩ構成と上記ＣＳＩ−ＲＳリソースが同一の干渉測定リソース構成を共有する場合）。
【０２５１】
〔モード２−３（二つのＣＳＩ構成に対するＵＥ−選択されたサブバンドフィードバック）〕
【０２５２】
上記ＵＥは、上記第１のＣＳＩ構成に対して上記サブバンドＳの集合内でサイズｋのＭ個の望ましいサブバンドの第１の集合を選択する（ここで、ｋ及びＭは、各システム帯域幅範囲に対してＴａｂｌｅ７.２.１−５、３６.２１３で与えられる）。上記ＵＥは、上記第２のＣＳＩ構成に対して上記サブバンドＳの集合内でサイズｋのＭ個の望ましいサブバンドの第２の集合を選択する。
【０２５３】
また、上記ＵＥは、上記第１のＣＳＩ構成に対して以前段階で決定された上記最初のＭ個の選択されたサブバンドを通じた送信のみを反映する一つのＣＱＩ値と、上記第２のＣＳＩ構成に対して以前段階で決定された上記２番目のＭ個の選択されたサブバンドを通じた送信のみを反映する他のＣＱＩ値を報告する。各ＣＱＩは、ＲＩ＞１である場合にも、上記該当するＣＳＩ構成の第１のコードワードに対するチャンネル品質を表す。
【０２５４】
追加的に、上記ＵＥは、各ＣＳＩ構成に対して集合Ｓサブバンドでの送信を仮定して計算された一つの広域ＣＱＩ値を報告する。上記広域ＣＱＩは、ＲＩ＞１である場合にも、上記該当するＣＳＩ構成の第１のコードワードに対するチャンネル品質を表す。
【０２５５】
［同一ランク］  一方法で、単一ＲＩが両方のＣＳＩ構成に対して報告される。
【０２５６】
送信モード３に対して、上記報告されたＣＱＩ値は、上記報告されたＲＩ条件で計算される。他の送信モードに対して、上記報告されたＣＱＩ値は、ランク１条件で報告される。
【０２５７】
［広域アグリゲートＣＱＩ］  一方法で、上記ＵＥは、また上記２個のＣＳＩリソースからのサブバンドの集合Ｓでジョイント送信を仮定して計算される一つの広域アグリゲートＣＱＩ値を報告する。一方法で、上記アグリゲートＣＱＩは、上記ＣＳＩ−ＲＳ別広域ＣＱＩで差分符号化される。
【０２５８】
［広域ＣＳＩ−ＲＳ間位相］  一方法で、上記ＵＥは、上記２個のＣＳＩ構成の上記２個のＣＳＩ−ＲＳリソースに該当する広域ＣＳＩ−ＲＳ間リソース位相フィードバックを報告する。
【０２５９】
〔モード３−３デスクリプション（二つのＣＳＩ構成に対する上位階層構成サブバンドフィードバック）〕：
【０２６０】
ＵＥは、ＣＳＩ構成別にサブバンドの集合Ｓでジョイント送信を仮定して計算される広域ＣＱＩ値を報告する。
【０２６１】
上記ＵＥは、また各サブバンド集合Ｓと各ＣＳＩ構成に対する一つのサブバンドＣＱＩ値を報告する。上記サブバンドＣＱＩ値は、上記サブバンドのみでの送信を仮定して計算される。
【０２６２】
上記広域及びサブバンドＣＱＩの両方は、ＲＩ＞１である場合にも、上記第１のコードワードに対するチャンネル品質を表す。
【０２６３】
［同一ランク］  一方法で、単一ＲＩが両方のＣＳＩ構成に対して報告される。
【０２６４】
送信モード３に対して、上記報告されたＣＱＩ値は、上記報告されたＲＩ条件で計算される。他の送信モードに対して、上記報告されたＣＱＩ値は、ランク１条件で報告される。
【０２６５】
［広域アグリゲートＣＱＩ］  一方法で、上記ＵＥは、また上記２個のＣＳＩリソースからのサブバンドの集合Ｓでジョイント送信を仮定して計算される一つの広域アグリゲートＣＱＩ値を報告する。一方法で、上記アグリゲートＣＱＩは、上記ＣＳＩ−ＲＳ別広域ＣＱＩで差分符号化される。
【０２６６】
［サブバンドアグリゲートＣＱＩ］  一方法で、上記ＵＥは、また上記２個のＣＳＩリソースからのジョイント送信を仮定して計算される、各サブバンド集合Ｓに対する一つのサブバンドアグリゲートＣＱＩ値を報告する。一方法で、上記アグリゲートＣＱＩは、上記ＣＳＩ−ＲＳ別広域ＣＱＩで差分符号化される。
【０２６７】
・サブバンド差動アグリゲートＣＱＩオフセットレベル＝サブバンドアグリゲートＣＱＩインデックス−広域アグリゲートＣＱＩインデックス
【０２６８】
【表２３】
0006324954.tif 000065
表２３−サブバンド差動アグリゲートＣＱＩ値のオフセットレベルに対するマッピング
【０２６９】
〔モード３−４ デスクリプション（二つのＣＳＩ構成に対する上位階層構成サブバンドＰＭＩ／ＣＱＩフィードバック）〕：
単一プリコーディングマトリックスは、サブバンドの集合Ｓで送信を仮定する場合、上記該当するＣＳＩ構成のコードブックサブ集合から各ＣＳＩ構成に対して選択される。
【０２７０】
ＵＥは、全てのサブバンドで上記ＣＳＩ構成に該当する単一プリコーディングマトリックスの使用を仮定し、上記該当するサブバンドで送信を仮定する場合に計算される各サブバンド集合Ｓと各ＣＳＩ構成に対してコードワード別にサブバンドＣＱＩ値を報告する。
【０２７１】
ＵＥは、全てのサブバンドでのＣＳＩ構成に該当する単一プリコーディングマトリックスの使用とサブバンド集合Ｓで送信を仮定する場合に計算されるＣＳＩ構成別コードワード別広域ＣＱＩ値を報告する。
【０２７２】
上記ＵＥは、第１及び第２のプリコーディングマトリックスインジケータがＣＳＩ構成別に上記選択された単一プリコーディングマトリックスに該当するように報告される場合に構成される８ＣＳＩ−ＲＳポートを有する送信モード９を除いて、ＣＳＩ構成別に上記選択された単一プリコーディングマトリックスインジケータを報告する。
【０２７３】
［同一ランク］  一方法で、単一ＲＩは、二つのＣＳＩ構成に対して報告される。
【０２７４】
送信モード４、８、及び９に対して、上記報告されたＰＭＩ及びＣＱＩ値は、上記報告されたＲＩ条件で計算される。他の送信モードに対して、上記報告されたＰＭＩ及びＣＱＩ値は、ランク１条件で計算される。
【０２７５】
［広域アグリゲートＣＱＩ］  一方法で、ＵＥは、全てのサブバンドで各ＣＳＩ構成に該当する上記単一プリコーディングマトリックスを使用するジョイント送信及びサブバンド集合Ｓでの送信を仮定する場合に計算されるコードワード別広域アグリゲートＣＱＩ値を報告する。
【０２７６】
［サブバンドアグリゲートＣＱＩ］  一方法で、ＵＥは、上記該当するサブバンドで各ＣＳＩ構成に該当する単一プリコーディングマトリックスを使用するジョイント送信を仮定する場合に計算される各サブバンド集合Ｓに対するコードワード別サブバンドアグリゲートＣＱＩ値を報告する。
【０２７７】
［広域ＣＳＩ−ＲＳ間リソース位相］  一方法で、上記ＵＥは、サブバンド集合Ｓでジョイント送信を仮定する場合、上記ＣＳＩ構成に該当する上記二つのＣＳＩ−ＲＳリソースに該当する広域ＣＳＩ−ＲＳ間リソース位相フィードバックを報告する。
【０２７８】
［位相フィードバックを有する広域アグリゲートＣＱＩ］  一方法で、ＵＥは、全てのサブバンドで各ＣＳＩ構成に該当する上記単一プリコーディングマトリックスを使用し、上記単一広域ＣＳＩ−ＲＳリソース間位相フィードバックを使用するジョイント送信とサブバンド集合Ｓでの送信を仮定する場合に計算されるコードワード別広域アグリゲートＣＱＩ値を報告する。
【０２７９】
［位相フィードバックを有するサブバンドアグリゲートＣＱＩ］  一方法で、ＵＥは、上記該当するサブバンドで上記単一広域ＣＳＩ−ＲＳ間リソース位相フィードバックを使用する、各ＣＳＩ構成に該当する上記単一プリコーディングマトリックスを使用するジョイント送信を仮定する場合に計算される各サブバンド集合Ｓに対してコードワード別サブバンドアグリゲートＣＱＩ値を報告する。
【０２８０】
一方法で、上記サブバンドアグリゲートＣＱＩは、上記広域アグリゲートＣＱＩで差動的に符号化される。
【０２８１】
・サブバンド差動アグリゲートＣＱＩオフセットレベル＝サブバンドアグリゲートＣＱＩインデックス−広域アグリゲートＣＱＩインデックス
【０２８２】
【表２４】
0006324954.tif 000066
表２４−サブバンド差動アグリゲートＣＱＩ値のオフセットレベルに対するマッピング
【０２８３】
〔モード１−５  デスクリプション（２個のＣＳＩリソースに対する広域フィードバック）〕：
各サブバンドに対して、各ＣＳＩ構成に対する望ましいプリコーディングマトリックスは、上記サブバンドのみでの送信を仮定する場合、上記該当するＣＳＩ構成のコードブックサブ集合から選択される。
【０２８４】
各ＣＳＩ構成に対して、ＵＥは、各サブバンドで上記該当する選択されたプリコーディングマトリックスの使用とサブバンド集合Ｓでの送信を仮定する場合に計算されるコードワード別広域ＣＱＩ値を報告する。
【０２８５】
【数４１】
0006324954.tif 000067
【０２８６】
サブバンドサイズは、Ｔａｂｌｅ７.２.１−３、３６.２１３によって与えられる。
【０２８７】
［同一ランク］  一方法で、単一ＲＩは、ＣＳＩ構成の両方に対して報告される。
【０２８８】
送信モード４、８、及び９に対して、上記報告されたＰＭＩ及びＣＱＩ値は、上記報告されたＲＩ条件で計算される。他の送信モードに対して、上記報告されたＰＭＩ及びＣＱＩ値は、ランク１条件で計算される。
【０２８９】
［サブバンドＣＳＩ−ＲＳ間位相］  一方法で、ＣＳＩ−ＲＳ間位相は、サブバンドのみでの送信を仮定する場合、上記サブバンド別に報告される。
【０２９０】
［サブバンドＣＳＩ−ＲＳ間位相を有する広域アグリゲートＣＱＩ］  一方法で、ＵＥは、ジョイント送信と、各サブバンドで上記該当する選択されたプリコーディングマトリックスの使用と、サブバンド別ＣＳＩ−ＲＳ間位相と、サブバンド集合Ｓでの送信を仮定する場合に計算されるコードワード別に一つのアグリゲート広域ＣＱＩ値を報告する。
【０２９１】
〔モード２−５（２個のＣＳＩ構成に対するＵＥ選択サブバンドフィードバック、複数のＰＭＩ）〕：
【０２９２】
上記ＵＥは、上記サブバンドの集合Ｓ内でサイズｋのＭ個の望ましいサブバンドと上記Ｍ個の選択されたサブバンドを通じた送信のために使用されることが望ましい上記コードブックサブ集合から選択される望ましい単一プリコーディングマトリックスのジョイント選択を遂行する。上記Ｍ個の望ましいサブバンドとその関連される単一プリコーディングマトリックスは、各ＣＳＩ構成に対して獲得される。
【０２９３】
各ＣＳＩ構成に対して、上記ＵＥは、上記該当する、選択されたＭ個の望ましいサブバンドを通じた送信のみを反映し、上記Ｍ個のサブバンドの各々で同じ、該当する選択された単一プリコーディングマトリックスを使用するコードワード別に一つのＣＱＩ値を報告する。
【０２９４】
８ＣＳＩ−ＲＳポートを有するように構成された送信モード９を除いて、各ＣＳＩ構成に対して、上記ＵＥは、また上記Ｍ個の選択されたサブバンドに対して望ましい上記該当する選択された単一プリコーディングマトリックスインジケータを報告する。各ＣＳＩ構成に対して、ＵＥは、また全てのサブバンド集合Ｓに対して上記該当する選択された単一プリコーディングマトリックスインジケータを報告する。
【０２９５】
８ＣＳＩ−ＲＳポートを有するように構成された送信モード９に対して、各ＣＳＩ構成に対して、ＵＥは、全てのサブバンド集合Ｓに対して該当する第１のプリコーディングマトリックスインジケータを報告する。各ＣＳＩ構成に対して、ＵＥは、また全てのサブバンド集合Ｓに対して該当する第２のプリコーディングマトリックスインジケータを報告し、上記Ｍ個の選択されたサブバンドに対して他の該当する第２のプリコーディングマトリックスインジケータを報告する。
【０２９６】
各ＣＳＩ構成に対して、単一プリコーディングマトリックスは、サブバンド集合Ｓでの送信を仮定する場合、上記該当するＣＳＩ構成の上記コードブックサブ集合から選択される。
【０２９７】
各ＣＳＩ構成に対して、ＵＥは、全てのサブバンドで上記該当する単一プリコーディングマトリックスの使用とサブバンド集合帯域集合Ｓでの送信を仮定する場合に計算されるコードワード別関連広域ＣＱＩ値を報告する。
【０２９８】
一方法で、単一ＲＩは、ＣＳＩ構成の両方に対して報告される。
【０２９９】
送信モード４、８、及び９に対して、上記報告されたＰＭＩ及びＣＱＩ値は、上記報告されたＲＩ条件で計算される。他の送信モードに対して、上記報告されたＰＭＩ及びＣＱＩ値は、ランク１条件で計算される。
【０３００】
［広域アグリゲートＣＱＩ］  一方法で、ＵＥは、全てのサブバンドで各ＣＳＩ構成に該当する上記単一プリコーディングマトリックスを使用するジョイント送信及びサブバンド集合Ｓでの送信を仮定する場合に計算されるコードワード別広域アグリゲートＣＱＩ値を報告する。
【０３０１】
［広域ＣＳＩ−ＲＳ間リソース位相］  一方法で、上記ＵＥは、サブバンド集合Ｓでジョイント送信を仮定する場合、上記ＣＳＩ構成に該当する上記二つのＣＳＩ−ＲＳリソースに該当する広域ＣＳＩ−ＲＳ間リソース位相フィードバックを報告する。
【０３０２】
［広域位相を有する広域アグリゲートＣＱＩ］  一方法で、ＵＥは、全てのサブバンドで各ＣＳＩ構成に該当する上記単一プリコーディングマトリックスを使用し、上記広域ＣＳＩ−ＲＳリソース間位相フィードバックを使用するジョイント送信とサブバンド集合Ｓでの送信を仮定する場合に計算されるコードワード別広域アグリゲートＣＱＩ値を報告する。
【０３０３】
［ジョイント送信を仮定するＭ個のサブバンド選択］  一方法で、上記ＵＥは、上記サブバンドの集合Ｓ内でサイズｋの上記Ｍ個の望ましいサブバンドの集合の二つのＣＳＩ構成と上記Ｍ個の選択されたサブバンドを通じた送信のために使用されることが望ましい各ＣＳＩ構成に対する上記コードブックサブ集合から選択される望ましい単一プリコーディングマトリックスからのジョイント送信を仮定するジョイント選択を遂行する。
【０３０４】
［上記選択されたＭ個のサブバンドを通じたＣＳＩ−ＲＳ別位相ＣＱＩ］  一方法で、上記ＵＥは、ジョイント送信に対して上記該当する選択されたＭ個の望ましいサブバンドを通じたジョイント送信のみを反映し、以前の段階から上記Ｍ個のサブバンドの各々で各ＣＳＩ構成に対して同一である、該当する選択された単一プリコーディングマトリックスを使用するコードワード別一つのＣＱＩ値を報告する。
【０３０５】
［選択されたＭ個のサブバンドに対するＣＳＩ−ＲＳ間リソース］  一方法で、上記ＵＥは、ジョイント送信に対して上記選択されたＭ個の望ましいサブバンドを通じたジョイント送信を仮定する場合の単一ＣＳＩ−ＲＳ間リソース位相フィードバックを報告する。
【０３０６】
［選択されたＭ個のサブバンドでのアグリゲートＣＱＩ］  一方法で、上記ＵＥは、ジョイント送信に対して上記該当する選択された、Ｍ個の望ましいサブバンドを通じたジョイント送信のみ反映し、各ＣＳＩ構成に対する上記該当する、選択された単一プリコーディングマトリックスと上記Ｍ個のサブバンド各々で、上記選択された単一ＣＳＩ−ＲＳ間リソース位相フィードバックを使用するコードワード別アグリゲートＣＱＩ値を報告する。
【０３０７】
一方法で、上述したようなフィードバックモードで定義されたような、ＣＳＩ構成の両方に対する上記選択された単一ＲＩは、最大の広域ＣＱＩを有するＣＳＩ構成に基づける。他の方法で、上記選択された単一ＲＩは、もっとも大きいＲＩを有するＣＳＩ構成に基づく。もう一つの方法で、上記ＲＩは、予め定義されるか、あるいは上位階層により構成されるか、あるいは固定され得る上記ＣＳＩ構成の中の一つ（一例で、構成１）に基づく。
【０３０８】
アグリゲートＣＱＩに対して、上記干渉測定のために仮定されるＩＭＲリソースは、上位階層により別途に構成されるか、黙示的に定義され得る（一例で、上記二つのＣＳＩ構成に該当する上記ＣＳＩ−ＲＳリソース以外の上記全ての干渉を測定する）。
【０３０９】
ＣＳＩ構成の両方が同一のＣＳＩ−ＲＳリソースに該当するが、異なるＩＮＲリソースに該当する場合、ＣＳＩ−ＲＳ間リソースフィードバックの一部は、サポートされる必要がない。アグリゲートＣＱＩあるいはＣＳＩ−ＲＳ間位相フィードバックあるいは単一ランクフィードバックを報告する必要がない。一方法で、このような場合、このような報告は、ドロップされ、他の報告により代替され得る。一例で、複数のランクフィードバックがサポートされるか、あるいは、上記個別ＣＳＩ構成のＣＱＩが差動的に符号化され得る。しかし、上記ＣＳＩ構成が同一のＣＳＩリソースを共有する場合、上記新しく定義されたモードを使用しないことが望ましい。
【０３１０】
より一般的に、上記定義されたフィードバックモードの各々で、二つ以上のＣＳＩ構成に該当する報告がサポートされ得る。ＣＳＩ−ＲＳ間リソースに対して類似の定義がここで説明される定義の簡単な拡張と共に使用され得る。
【０３１１】
上記非周期的ＣＳＩ報告モードは、下記のように要約され得る。
【０３１２】
【表２５】
0006324954.tif 000068
【０３１３】
複数のＣｏＭＰ仮設（あるいはＣＳＩプロセス）に対するＣＳＩ報告は、ＤＣＩに含まれている上記ＣＳＩ−要求フィールドを使用する単一非周期的報告で構成され得る。ＵＥ選択されたサブバンドフィードバックと共に、上記報告されたＭ−サブバンドＰＭＩ及びＣＱＩは、上記Ｍ個のサブバンドの全部を通じた上記送信を反映する。これは、動的ポイント選択／ブランキング（ＤＰＳ／ＤＢ）及びジョイント送信（ＪＴ）方式が使用される場合、上記スケジューリング柔軟性を制限することができ、またＣＱＩミスマッチを起こすことがある。一つの接近方式は、ＵＥが二つ又はそれ以上のＣｏＭＰ仮設（またＣＳＩプロセスとも称される）に対するＭ個の選択されたサブバンドのジョイント選択を遂行するものである。また、これは、上記ネットワークにより構成可能であり得る。
【０３１４】
上記共通サブバンド報告を有する例題構成が下記に示されている。
【０３１５】
【表２６】
0006324954.tif 000069
【０３１６】
モード２−２あるいは代替モード２−２の使用は、上位階層パラメータにより指示されるかあるいはＤＣＩでパラメータを動的にシグナリングすることができる。
【０３１７】
一実施形態で、共通あるいは異なるサブバンド選択が必ず遂行されなければならない否かが上記ネットワークにより指示され得る。上記のような指示は、ＤＣＩフォーマットで動的シグナリングを使用するかあるいは上位階層シグナリングを使用することができる。一方法で、上記シグナリングは、上記非周期的報告で構成される一つ又はそれ以上のＣＳＩプロセス間のリンクを指示することができる。上記のような場合で、上記共通サブバンドは、上記リンクされたＣＳＩプロセスに対して報告される。
【０３１８】
ＵＥ動作の追加的な定義は、上記共通サブバンドインデックスがどのように選択されるかに対して定義されなければならない。リリース１０で、サブバンドインデックスは、単一ＣＳＩプロセスが構成される場合、上記ＣＱＩを最大化するために選択される。一実施形態で、上記ＵＥは、共通サブバンド報告のために構成される上記二つ又はそれ以上のＣＳＩプロセスの一つ又はそれ以上のＣＱＩに基づいて上記共通サブバンドインデックスを選択しなければならない。一方法で、上記共通サブバンドインデックスは、二つ又はそれ以上のＣＳＩプロセスの全体和に基づく。一方法で、上記共通サブバンドインデックスは、上記最大ＣＱＩ（一例で、最大広域ＣＱＩ）を有する上記ＣＳＩプロセスに基づく。
【０３１９】
一方法で、上記共通サブバンドインデックスは、基準ＣＳＩプロセスに基づく。上記基準ＣＳＩプロセスは、上記二つ又はそれ以上のＣＳＩプロセスと関連される一つ又はそれ以上のパラメータに基づいて決定され得る。上記のようなパラメータは、上記タイミングパラメータあるいはＣＳＩ−ＲＳリソースあるいはＩＭＲあるいは干渉リソースなどであり得る。一方法で、上記共通サブバンドインデックスは、最も低いインデックスを有する上記ＣＳＩプロセスに基づく。一方法で、上記共通サブバンドインデックスは、より低い（あるいはより高い）周期性を有するＣＳＩプロセスに基づく。一方法で、上記基準ＣＳＩプロセスは、上位階層シグナリングあるいは動的シグナリングで上記ネットワークにより構成される。一例で、ネットワークは、上記基準プロセスとしてＣＳＩプロセス１を構成する。この場合、上記サブバンド選択は、ＣＳＩ１プロセスと他のサブバンドでのサブバンド選択に基づけなければならなく、各ＣＳＩプロセスの残りのフィードバックパラメータ（一例で、ＰＭＩ／ＣＱＩ）は、この選択で調整されなければならない。
【０３２０】
一実施形態で、ＭサブバンドＣＱＩは、ＣＳＩプロセスのサブ集合に対してのみ報告される。一例で、ＭサブバンドＣＱＩは、ＣＳＩプロセス１に対してのみ報告される。この場合、ネットワークは、このような動作、すなわち、一つ又はそれ以上のＣＳＩプロセスに対する上記Ｍサブバンド報告をドロップすることを指示することができる。
【０３２１】
一実施形態で、大きい値のＭは、性能を改善させるために複数のＣＳＩプロセスと報告の場合に対してサポートされ得る。
【０３２２】
〔ＣＳＩプロセス〕
複数のＣＳＩプロセスに該当するフィードバックをサポートする最も簡単な接近方式は、このようなプロセスに対するフィードバックの独立的な構成を有するものである。しかし、オーバーヘッドを減少させ、スケジューリングを改善するためにＣｏＭＰ動作を考慮するＣＳＩプロセス間の一部依存性を導入する場合に一部利得が存在する。一例で、複数のＣＳＩプロセスにかけて上記報告を調整する場合に利点がある。二つ又はそれ以上のプロセスに対して共通であり得る一部パラメータは、下記のように要約される。
【０３２３】
共通ＲＩ
上記スケジューラが二つの異なる送信ポイントからのジョイント送信（すなわち、異なるノンゼロ電力ＣＳＩ−ＲＳ）をサポートしようとする場合、上記スケジューラは報告の両方からの同じ共通ランク仮設を有するＣＱＩを要求する。
【０３２４】
共通サブバンド
上記スケジューラが二つの異なる送信ポイントからの周波数選択的ジョイント送信をサポートしようとする場合、上記ＵＥにより選択されるサブバンドの集合は、ＣＱＩミスマッチ及びスケジューラ制限を避けるために同一でなければならない。
【０３２５】
共通ＰＭＩ
上記スケジューラが動的ポイント選択と動的ポイントブランキング間の選択をサポートしようとする場合、
上記スケジューラは同じノンゼロ電力ＣＳＩ−ＲＳを共有するが、異なるＩＭＲリソースを有する二つのＣＳＩプロセスに対するＣＳＩを要求することができる。この場合、上記ＣＳＩプロセスの両方に該当するチャンネルが同一であるために、共通ＰＭＩが使用され得る。
【０３２６】
〔実施形態：共通ＰＴＩ〕
この実施形態で、プリコーダータイプ指示（ＰＴＩ）は、８Ｔｘフィードバックに対して単一報告でＲＩと共に送信される。上記ＰＴＩは、下記に要約されたようなＰＵＣＣＨモード２−１に対してのみ適用可能であり得る。必須的に、上記ＰＴＩは、二つのモード間をスイッチするために使用され、図８に示されたように、上記二つのモードのうち一つのモードでは、上記広域第１プリコーダーコンポーネントＷ１がフィードバックされ、残りのモードでは、上記サブバンド第２のプリコーダーコンポーネントがフィードバックされる。
【０３２７】
・８Ｔｘに対するＰＵＣＣＨモード２−１（Ｒｅｌ.８ＰＵＣＣＨモード２−１の拡張）
−全体プリコーダーＷは、最後のＲＩ報告に基づく条件で３−サブフレーム報告から決定される。
−報告フォーマット
・報告１：Ｒｌ及び１−ビットプリコーダータイプ指示（ＰＴＩ）
・報告２：
ＰＴＩ＝０：Ｗ１が報告される
ＰＴＩ＝１：広域ＣＱＩ及び広域Ｗ２が報告される
・報告３
ＰＴＩ＝０：広域ＣＱＩ及び広域Ｗ２が報告される
ＰＴＩ＝１：サブバンドＣＱＩ、サブバンドＷ２、
サブバンド選択インジケータの送信対予め定義されたサイクリングがＦＦＳ（for further study）である
・２及び４Ｔｘに対して、ＰＴＩは、１と設定されると仮定され、シグナリングされない。
【０３２８】
ＰＴＩ＝０である場合、上記ＵＥは、図８Ａに示されたように広域ＣＱＩフィードバックと、広域第１ＰＭＩ（Ｗ１）フィードバックと、広域第２のＰＭＩ（Ｗ２）フィードバックを送信する。ＰＴＩ＝１である場合、上記ＵＥは、図８Ｂに示されたように広域ＣＱＩと、広域Ｗ２と、サブバンドＣＱＩ及びサブバンドＷ２を報告する。８Ｔｘコードブックに対して、上記全体のプリコーダーは、Ｗ＝Ｗ１Ｗ２によって与えられる（３６.２１１を参照）。
【０３２９】
一方法で、ネットワークは、与えられたＣＳＩプロセスに対する基準パラメータに該当する基準ＣＳＩプロセスを指示する。一例で、ＣＳＩプロセス１がＰＴＩである基準特性を有する、上記基準ＣＳＩプロセス２に対する基準プロセスと共に指示される場合、ＣＳＩプロセス２に該当するＣＳＩは、ＣＳＩプロセス１（すなわち、上記基準プロセス）のＰＴＩに基づけなければならない。
【０３３０】
〔実施形態２〕：
一実施形態で、上述したような異なるパラメータに対する上記基準ＣＳＩプロセスは、下記にキャプチャーされているように独立的に構成される。
【０３３１】
CSI-Process-r11:          
CSI-Process-ID                                           Integer
CSI-RS-config                                
IMR-config
(Optional) Rank_Reference_Process                         a CSI-Process-ID
(Optional) UE-Selected-Subband_Reference_Process           a CSI-Process-ID
(Optional) PMI_Reference_Process                         a CSI-Process-ID
(Optional) PTI_Reference_Process                   a CSI-Process-ID
【０３３２】
〔実施形態３〕：
一方法で、単一パラメータは、二つ又はそれ以上のフィードバックパラメータ（ＲＩ／ＰＭＩ／サブバンド／ＰＴＩ）に対して使用されなければならない上記基準ＣＳＩプロセスをＵＥに指示するために使用される。一例が下記に表している。
【０３３３】
CSI-Process-r11:
CSI-Process-ID                                           Integer
CSI-RS-config                                
IMR-config
(Optional) Rank_Reference_Process                         a CSI-Process-ID
(Optional) UE-Selected-Subband_Reference_Process           a CSI-Process-ID
(Optional) PMI/PTI_Reference_Process               a CSI-Process-ID
【０３３４】
上記ＵＥは、ＰＴＩに対する基準プロセスをまた導出するためにＰＭＩ／ＰＴＩ＿Ｒｅｆｅｒｅｎｃｅ＿Ｐｒｏｃｅｓｓにより指示される上記ＣＳＩプロセスを使用する。
【０３３５】
一般的に、フィードバックパラメータに対する上記基準プロセスは、下記例題でのように他のフィードバックパラメータに対する基準プロセスにより黙示的に指示され得る。
【０３３６】
CSI-Process-r11:
CSI-Process-ID                                           Integer
CSI-RS-config                                
IMR-config
(Optional) Rank_Reference_Process                         a CSI-Process-ID
(Optional) UE-Selected-Subband_Reference_Process           a CSI-Process-ID
(Optional) PMI_Reference_Process                   a CSI-Process-ID
【０３３７】
上記ＵＥは、ＰＴＩに対する基準プロセスをまた導出するためにＰＭＩ＿Ｒｅｆｅｒｅｎｃｅ＿Ｐｒｏｃｅｓｓにより指示される上記ＣＳＩプロセスを使用する。
【０３３８】
他の例で、ｒａｎｋ＿ｒｅｆｅｒｅｎｃｅ＿ｐｒｏｃｅｓｓにより指示される上記ＣＳＩプロセスは、また上記ＵＥ−ｓｅｌｅｃｔｅｄ−ｓｕｂｂａｎｄ基準プロセスを導出するために使用され、いずれのＵＥ−Ｓｅｌｅｃｔｅｄ−Ｓｕｂｂａｎｄ＿Ｒｅｆｅｒｅｎｃｅ＿Ｐｒｏｃｅｓｓも明示的に構成されない。
【０３３９】
上記各ＣＳＩプロセスのタイミングパラメータ（一例で、上記フィードバック報告の周期性、オフセット）は、周期的フィードバックのために調整されないことがある。この場合、共通メトリック（ｃｏｍｍｏｎｍｅｔｒｉｃ）が報告される場合でも、上記以後のＣＳＩプロセスに対するタイミングプロセスは、上記基準プロセスについて明確に定義されなければならない。
【０３４０】
〔実施形態４〕：
一方法で、最近に報告された周期的基準プロセスの基準ＰＴＩが必ず使用されなければならない。類似に、共通ＲＩ／サブバンド／ＰＭＩに対して、最近に報告された周期的基準プロセスの上記基準ＲＩ／サブバンド／ＰＭＩが必ず使用されなければならない。
【０３４１】
複数のＣＳＩプロセスに該当する上記フィードバックコンポーネントに追加して、追加的なフィードバック構成パラメータがＣＳＩプロセス定義のために必要である。一部フィードバック構成パラメータは、下記で説明される。
【０３４２】
コードブックサブ集合制限
上記コードブックサブ集合制限は、現在のＬＴＥ規格で下記の定義されている。
【０３４３】
【数４２】
0006324954.tif 000070
【０３４４】
【数４３】
0006324954.tif 000071
【０３４５】
【数４４】
0006324954.tif 000072
【０３４６】
【数４５】
0006324954.tif 000073
【０３４７】
【数４６】
0006324954.tif 000074
【０３４８】
４.送信モード８
ａ.２個のアンテナポート：Ｔａｂｌｅ７.２−１ｃ参照
ｂ.４個のアンテナポート：ビットという［ＲＥＦ３］のＴａｂｌｅ６．３。４。２。３−２で階層に対するプリコーダー及びコードブックインデックスと関連され、である。
【０３４９】
【数４７】
0006324954.tif 000075
【０３５０】
【表２７】
0006324954.tif 000076
表２７−Ｔａｂｌｅ７.２−１ｂに対応する。適用可能な送信モードに対するコードブックサブ集合制限ビットマップに含まれているビットの個数。
【０３５１】
【表２８】
0006324954.tif 000077
表２８−Ｔａｂｌｅ７.２−１ｃに対応する。ｃｏｄｅｂｏｏｋＳｕｂＳｅｔＲｅｓｔｒｉｃｔｉｏｎビットマップに含まれているビットと［ＲＥＦ３］のＴａｂｌｅ６．３.４.２.３−１の２アンテナポートコードブックに含まれているプリコーダーに対する関連。
【０３５２】
一方法で、コードブックサブ集合制限は、ＣＳＩプロセス別に定義される。
【０３５３】
一方法で、共通ｃｏｄｅｂｏｏｋｓｕｂｓｅｔｒｅｓｔｒｉｃｔｉｏｎパラメータは、複数のＣＳＩプロセスのために使用され得る。二つのＣＳＩプロセスが同一のノンゼロ電力ＣＳＩ−ＲＳを共有する場合、ネットワークは、二つの場合に対して同一のパラメータを使用することを好むことができる。
【０３５４】
ＰＭＩ／ＲＩデセイブリング
一方法で、“ＰＭＩ／ＲＩデセイブリング（ＰＭＩ／ＲＩ disabling）”と称される上位階層パラメータは、ＣＳＩプロセスに対するＰＭＩ／ＲＩをデセイブルするか否かを指示する。すなわち、上記のようなパラメータの第１値に対しては、ＣＱＩのみが報告され、上記のようなパラメータの第２の値に対しては、ＰＭＩ／ＲＩ／ＣＱＩが報告される。
【０３５５】
一方法で、共通ＰＭＩ ＲＩデセイブリングは、二つ又はそれ以上のＣＳＩプロセスに対してサポートされ得る。
【０３５６】
【数２】
0006324954.tif 000078
【０３５７】
〔実施形態５〕：
一実施形態で、ＣＳＩプロセスは、上記追加的な構成パラメータを含んで次のように構成され得る。
【０３５８】
CSI-Process-r11:
CSI-Process-ID                                     Integer
CSI-RS-config                                 
IMR-config
Codebooksubsetrestriction-config   
PMI/RI Disabling-config                        
SubframeSubsets_config                         
(Optional) Rank_Reference_Process                     a CSI-Process-ID
(Optional) UE-Selected-Subband_Reference_Process            a CSI-Process-ID
(Optional) PMI_Reference_Process                     a CSI-Process-ID
(Optional) PTI_Reference_Process                     a CSI-Process-ID
【０３５９】
上述したような例題でＣＳＩ−ＲＳ、ＩＭＲ、ｃｏｄｅｂｏｏｋｓｕｂｓｅｔｒｅｓｔｒｉｃｔｉｏｎ、ＰＭＩ／ＲＩデセイブリング、サブフレームサブ集合を含む、ＣＳＩプロセス別に独立的に構成されるパラメータは、ＣＳＩプロセスの“独立的に構成されるパラメータ（independently configured parameters）”と称される。ＲＩ、ＵＥ選択されたサブバンド、ＰＭＩ、ＰＴＩを含む基準プロセスに従うフィードバックパラメータは、“基準フィードバックパラメータ（reference feedback parameters）”と称される。
【０３６０】
〔実施形態６：独立的に構成された衝突及び基準パラメータによるエラーの場合〕
一部エラのー場合が独立的に構成されたパラメータ及び上記基準パラメータの一部値に対して発生することがある。例題は、次の通りである。
【０３６１】
実施例１：ＰＭＩ／ＲＩデセイブリングは、ＣＳＩプロセス１に対して構成されないが、ＣＳＩプロセス２に対して構成される。しかし、ＣＳＩプロセス１は、ＣＳＩプロセス２に対するランク基準プロセスとして構成される。この場合、ＣＳＩプロセス２は、ＰＭＩ／ＲＩのデセイブリングによりＣＳＩプロセス１のランクに従うことが要求されるが、ランク１に制限されない。
【０３６２】
上記のような場合で、上記ＵＥ動作は、混乱を避けるために特定化され得る。一方法で、ＵＥは、上記独立的に構成されたパラメータを重要な基準プロセスパラメータと解析しなければならない。この例題で、ＵＥは、ＣＳＩプロセス２のランクと関係なしでＣＳＩプロセス１に対するＰＭＩ／ＲＩデセイブリング構成と一致するＣＳＩプロセス１に対するランク１のみを使用する。
【０３６３】
実施例２：コードブックサブ集合制限パラメータは、ＣＳＩプロセス１及びＣＳＩプロセス２に対して異なる。しかし、ＣＳＩプロセス２は、ＣＳＩプロセス２に対するＰＭＩ基準プロセスとして構成される。ＣＳＩプロセス１に対する上記選択されたＰＭＩがＣＳＩプロセス２に対して構成されたコードブックサブ集合に存在しない場合、衝突が発生する。一方法で、ＵＥは、上記独立的に構成されたパラメータを重要な上記基準プロセスパラメータとして解析しなければならない。この例題で、ＵＥは、ＣＳＩプロセス２のコードブックサブ集合で有用なＰＭＩを使用し、ＣＳＩプロセス１のＰＭＩを使用しない。他の方法で、ＵＥは、上記基準プロセスパラメータを重要な上記独立的に構成されるパラメータとして解析しなければならない。この例題で、ＵＥは、上記ＣＳＩプロセス１のＰＭＩがＣＳＩプロセス２のコードブックサブ集合に存在しているか否かに関係なしで上記ＣＳＩプロセス１のＰＭＩを使用する。
【０３６４】
上記の説明の一般化である一実施形態で、ＣＳＩプロセスに対するフィードバックパラメータ（ＲＩ、ＣＱＩ、ＰＭＩ、ＰＴＩ・・・）を導出する規則は、一つ又はそれ以上のＣＳＩプロセスの一つ又はそれ以上の独立的に構成されるパラメータ（ＣＳＩ−ＲＳ、ＩＭＲ、ｃｏｄｅｂｏｏｋｓｕｂｓｅｔｒｅｓｔｒｉｃｔｉｏｎ、ＰＭＩ／ＲＩデセイブリング、サブフレームサブ集合ら）及び一つ又はそれ以上のＣＳＩプロセスの一つ又はそれ以上の基準プロセスパラメータ（Ｒａｎｋ＿Ｒｅｆｅｒｅｎｃｅ＿Ｐｒｏｃｅｓｓ、ＵＥ−Ｓｅｌｅｃｔｅｄ−Ｓｕｂｂａｎｄ＿Ｒｅｆｅｒ−ｅｎｃｅ＿Ｐｒｏｃｅｓｓ、ＰＭＩ＿Ｒｅｆｅｒｅｎｃｅ＿Ｐｒｏｃｅｓｓ、ＰＴＩ＿Ｒｅｆｅｒｅｎｃｅ＿Ｐｒｏｃｅｓｓ）の値に基づく。上記例題で説明したように上記のような規則は、一貫したフィードバック動作を確実にし、衝突／エラー場合を避けるために必要となり得る。
【０３６５】
上記の図面らに示されている各プロセスフロー及び／または信号シーケンス及び上述したような内容は、順次的にあるいは連係して特定シーケンスの段階及び／または信号と関連されるが、明示的に説明されるかあるいは自明でない場合（一例で、信号は、送信される前に受信されることができない）、実行、同時あるいはオーバーラップされる方式よりは、直列的な段階の実行、あるいは部分、あるいはその信号の送信、あるいは中間段階あるいは信号の介入発生無しで排他的に示されている信号の段階あるいは送信の実行の特定順序を考慮する順序から推論されてはならない。また、該当技術分野の当業者は、完全なプロセスあるいは信号シーケンスが図示されていなかあるいは説明されていないことが認識できる。その代りに、簡単性及び明瞭性のために、本開示の理解のために本開示に対して固有なあるいは必要な各プロセス及び信号シーケンスが図示及び説明されている。
【０３６６】
一方、本開示は、望ましい実施例に関し説明したが、多様な変形ら及び修正が該当技術分野の当業者に提示されることができる。本開示は、添付されるクレームの範囲内で上記のような変形ら及び修正を含むことができる。
【符号の説明】
【０３６７】
１００  無線通信ネットワーク
１０２  カバレッジ領域
１０４  ｅＮＢ
１１０  無線通信ネットワーク
１１２  カバレッジ領域
１１４  ＲＲＨ
１１６  光ファイバー
１２０  無線通信ネットワーク
１２２  カバレッジ領域
１２４  ＲＲＨ
【図１Ａ】
0006324954.tif 000079
【図１Ｂ】
0006324954.tif 000080
【図１Ｃ】
0006324954.tif 000081
【図２Ａ】
0006324954.tif 000082
【図２Ｂ】
0006324954.tif 000083
【図３】
0006324954.tif 000084
【図４】
0006324954.tif 000085
【図５Ａ】
0006324954.tif 000086
【図５Ｂ】
0006324954.tif 000087
【図６】
0006324954.tif 000088
【図７】
0006324954.tif 000089
【図８Ａ】
0006324954.tif 000090
【図８Ｂ】
0006324954.tif 000091